(57)【要約】【課題】簡単かつ安価な構成で、複数ジョブの印刷を連続して順番に行う。【解決手段】印刷ユニット１０−１〜１０−８に刷版を一度に装着する。例えば、片面単色印刷を１ジョブとし、８ジョブを１サイクルとして印刷を行うものとする。この場合、先ず印刷ユニット１０−１を使用して、ジョブ１の印刷を行う。次に、印刷ユニット１０−１にジョブ１の印刷に使用した刷版を装着したままの状態で、印刷ユニット１０−２を使用して、ジョブ２の印刷を行う。以下、同様にして、印刷ユニット１０−３〜１０−８を使用して、ジョブ３〜ジョブ８の印刷を行う。【選択図】  図３
2007038538.tif 000002
【特許請求の範囲】
【請求項１】
所定の刷版を使用しての印刷を１ジョブの印刷とし複数ジョブの印刷を順番に行う複数の印刷ユニットを備えた印刷機における印刷方法において、
第１のジョブの印刷に使用する刷版を前記複数の印刷ユニット中の第１の印刷ユニットに、前記第２のジョブの印刷に使用する刷版を前記複数の印刷ユニット中の第２の印刷ユニットに、それぞれ装着する工程と、
前記第１のジョブの印刷に使用する刷版が装着された第１の印刷ユニットを使用して前記第１のジョブの印刷を行う工程と、
前記第１のジョブの印刷に使用した刷版を前記第１の印刷ユニットに印刷期間中ずっと装着した状態で、前記第２のジョブの印刷に使用する刷版が装着された第２の印刷ユニットを使用して、前記第２のジョブの印刷を行う工程と
を備えたことを特徴とする印刷機における印刷方法。
【請求項２】
請求項１に記載された印刷機における印刷方法において、
前記第２のジョブの印刷後に、前記第１のジョブの印刷に使用した刷版および前記第２のジョブの印刷に使用した刷版を、前記第１の印刷ユニットおよび前記第２の印刷ユニットから取り外す工程
を備えたことを特徴とする印刷機における印刷方法。
【請求項３】
請求項１に記載された印刷機における印刷方法において、
前記第１のジョブの印刷を行う前に、前記第１および第２の印刷ユニット内に、印刷中に必要とされる最低限のインキ膜厚分布を形成する工程
を備えたことを特徴とする印刷機における印刷方法。
【請求項４】
請求項１に記載された印刷機における印刷方法において、
前記第２のジョブの印刷後に、前記第１および第２の印刷ユニットのインキ装置内に、印刷中に必要とされる最低限のインキ膜厚分布を形成する工程
を備えたことを特徴とする印刷機における印刷方法。
【請求項５】
請求項１に記載された印刷機における印刷方法において、
前記第２のジョブの印刷後に、前記第１および第２の印刷ユニットのブランケット胴に装着されたブランケットを洗浄する工程
を備えたことを特徴とする印刷機における印刷方法。
【請求項６】
所定の印刷を使用しての印刷を１ジョブの印刷とし複数ジョブの印刷を順番に行う複数の印刷ユニットを備えた印刷機において、
第１のジョブの印刷に使用する刷版を前記複数の印刷ユニット中の第１の印刷ユニットに、前記第２のジョブの印刷に使用する刷版を前記複数の印刷ユニット中の第２の印刷ユニットに、それぞれ装着する手段と、
前記第１のジョブの印刷に使用する刷版が装着された第１の印刷ユニットを使用して前記第１のジョブの印刷を行う手段と、
前記第１のジョブの印刷に使用した刷版が前記第１の印刷ユニットに印刷期間中ずっと装着された状態で、前記第２のジョブの印刷に使用する刷版が装着された第２の印刷ユニットを使用して、前記第２のジョブの印刷を行う手段と
を備えたことを特徴とする印刷機。
【請求項７】
請求項６に記載された印刷機において、
前記第２のジョブの印刷後に、前記第１のジョブの印刷に使用された刷版および前記第２のジョブの印刷に使用された刷版を、前記第１の印刷ユニットおよび前記第２の印刷ユニットから取り外す手段
を備えたことを特徴とする印刷機。
【請求項８】
請求項６に記載された印刷機において、
前記第１のジョブの印刷を行う前に、前記第１および第２の印刷ユニット内に、印刷中に必要とされる最低限のインキ膜厚分布を形成する手段
を備えたことを特徴とする印刷機。
【請求項９】
請求項６に記載された印刷機において、
前記第２のジョブの印刷後に、前記第１および第２の印刷ユニットのインキ装置内に、印刷中に必要とされる最低限のインキ膜厚分布を形成する手段
を備えたことを特徴とする印刷機。
【請求項１０】
請求項６に記載された印刷機において、
前記第２のジョブの印刷後に、前記第１および第２の印刷ユニットのブランケット胴に装着されたブランケットを洗浄する手段
を備えたことを特徴とする印刷機。
【発明の詳細な説明】
【技術分野】
【０００１】
この発明は、複数の印刷ユニットを備えた印刷機における印刷方法および印刷機に関するものである。
【背景技術】
【０００２】
従来より、複数の印刷ユニットを備えた印刷機として、多色印刷機が用いられている。例えば、４色の片面印刷機は４つの印刷ユニットを備えており、この４つの印刷ユニットに各色の刷版を装着することによって、４色刷の印刷を行うことができる。このような多色印刷機では、変則的な印刷方法として、所定の刷版を使用しての印刷を１ジョブの印刷とし、複数ジョブの印刷を順番に行うことがある。
【０００３】
例えば、１色目の印刷ユニットを使用する印刷ユニット（使用印刷ユニット）とし、この使用印刷ユニット（１色目の印刷ユニット）に刷版Ａを装着して１つ目のジョブの印刷を行った後、使用印刷ユニット（１色目の印刷ユニット）に刷版Ｂを装着して２つ目のジョブの印刷を行うというように、複数ジョブの印刷を順番に行うことがある。この場合、１つ目のジョブの印刷準備（刷版Ａの装着など）、１つ目のジョブの印刷、２つ目のジョブの印刷準備（刷版Ｂへの交換など）、２つ目のジョブの印刷というように、１ジョブ毎に印刷準備を行わなければならず、非常に時間がかかり、稼働率が悪くなる。
【０００４】
そこで、近年、特許文献１や特許文献２に示されているように、例えば１色目の印刷ユニットを第１の印刷ユニット、２色目の印刷ユニットを第２の印刷ユニットとし、１色目の印刷ユニットで１つ目のジョブの印刷を行っている間に、２色目の印刷ユニットで２つ目のジョブの印刷準備を行い、１つ目のジョブの印刷終了後、連続して２つ目のジョブの印刷を行うという印刷方法が考えられている。
【０００５】
この印刷方法について、図１０３に示す概略図を用いて、具体的に説明する。図１０３において、１は第１の印刷ユニット、２は第２の印刷ユニット、３はメインモータ、４は印刷ユニット１を単独で駆動するサブモータ、５は印刷ユニット２を単独で駆動するサブモータ、６，７はメインモータ３と印刷ユニット１，２を断・接する第１のクラッチ、８，９はサブモータ４，５と印刷ユニット１，２を断・接する第２のクラッチである。
【０００６】
この印刷方法では、第２のクラッチ８を切断した状態で第１のクラッチ６を接続して印刷ユニット１をメインモータ３に接続し、メインモータ３を駆動させて印刷ユニット１を使用して１つ目のジョブの印刷を行う。この間に、第１のクラッチ７を切断した状態で第２のクラッチ９を接続して印刷ユニット２をサブモータ５に接続し、サブモータ５を駆動させて印刷ユニット２の版交換を行う。
【０００７】
１つ目のジョブの印刷終了後、印刷用紙の搬送を続行したままの状態で、第１のクラッチ６を切断して印刷ユニット１をメインモータ３から切り離し、サブモータ５の回転数を制御して印刷ユニット２の回転数をメインモータ３の回転数に同期させ、その状態で第１のクラッチ７を接続し、かつ、第２のクラッチ９を切断し、印刷ユニット２をメインモータ３に接続して印刷ユニット２を使用して２つ目のジョブの印刷を行う。この間に、第２のクラッチ８を接続して印刷ユニット１をサブモータ４に接続し、サブモータ４を駆動させて印刷ユニット１の版交換を行う。
【０００８】
【特許文献１】特開平６−３２０７１４号公報
【特許文献２】特開平７−３１４６５２号公報
【特許文献３】特開平１０−１６１９３号公報
【特許文献４】特開昭６３−２９０７４７号公報
【特許文献５】実開平６−３３８６２号公報
【特許文献６】実開平６−３２０３０号公報
【特許文献７】特開平３−２８６８６５号公報
【特許文献８】特開平３−１９７０４５号公報
【特許文献９】特開２００２−１２３７号公報
【発明の開示】
【発明が解決しようとする課題】
【０００９】
しかしながら、上述した特許文献１や２に示された印刷方法では、サブモータ４，５、第１のクラッチ６，７、第２のクラッチ８，９等を設けなければならず、その構成が複雑となると共に高価となるという問題があった。
【００１０】
本発明は、このような課題を解決するためになされたもので、その目的とするところは、簡単かつ安価な構成で、複数ジョブの印刷を連続して順番に行う場合の稼働率を上げることができる印刷機における印刷方法および印刷機を提供することにある。
【課題を解決するための手段】
【００１１】
このような目的を達成するために本発明は、所定の刷版を使用しての印刷を１ジョブの印刷とし複数ジョブの印刷を順番に行う複数の印刷ユニットを備えた印刷機における印刷方法において、第１のジョブの印刷に使用する刷版を複数の印刷ユニット中の第１の印刷ユニットに、第２のジョブの印刷に使用する刷版を複数の印刷ユニット中の第２の印刷ユニットに、それぞれ装着する工程と、第１のジョブの印刷に使用する刷版が装着された第１の印刷ユニットを使用して第１のジョブの印刷を行う工程と、第１のジョブの印刷に使用した刷版を第１の印刷ユニットに印刷期間中ずっと装着した状態で、第２のジョブの印刷に使用する刷版が装着された第２の印刷ユニットを使用して、第２のジョブの印刷を行う工程とを設けたものである。
【００１２】
この発明によれば、第１のジョブの印刷に使用する刷版が第１の印刷ユニットに装着され、第２のジョブの印刷に使用する刷版が第２の印刷ユニットに装着され、第１のジョブの印刷と第２のジョブの印刷が順番に行われる。この際、第２のジョブの印刷は、その印刷期間中ずっと、第１のジョブの印刷に使用した刷版を第１の印刷ユニットに装着した状態で行われる。すなわち、本発明では、第２のジョブの印刷期間中、第１のジョブの印刷に使用した刷版の交換は行わずに、装着したままの状態とする。そして、第２のジョブの印刷後に、第１のジョブの印刷に使用した刷版および第２のジョブの印刷に使用した刷版を、第１の印刷ユニットおよび第２の印刷ユニットから取り外す。
【００１３】
本発明において、第１のジョブの印刷や第２のジョブの印刷は、片面単色印刷を１ジョブとする印刷、両面単色印刷を１ジョブとする印刷、片面２色印刷を１ジョブとする印刷など、種々考えられる。片面単色印刷を１ジョブとする印刷では使用する印刷ユニットは１つであるが、両面単色印刷を１ジョブとする印刷や片面２色印刷を１ジョブとする印刷では使用する印刷ユニットは２つとされる。
【００１４】
また、本発明では、第１のジョブの印刷を行う前に、第１および第２の印刷ユニット内に、印刷中に必要とされる最低限のインキ膜厚分布（基本インキ膜厚分布）を形成したり、第２のジョブの印刷後に、第１および第２の印刷ユニットのインキ装置内に、印刷中に必要とされる最低限のインキ膜厚分布（基本インキ膜厚分布）を形成したり、第２のジョブの印刷後に、第１および第２の印刷ユニットのブランケット胴に装着されたブランケットを洗浄したりする。
【発明の効果】
【００１５】
本発明によれば、第２のジョブの印刷期間中、第１のジョブの印刷に使用した刷版が装着されたままの状態とされ、印刷中の刷版交換のためのサブモータやクラッチなどを不要とし、簡単かつ安価な構成で、複数ジョブの印刷を連続して順番に行う場合の稼働率を上げることができるようになる。
【発明を実施するための最良の形態】
【００１６】
以下、本発明を図面に基づいて詳細に説明する。図１は本発明の実施に用いる印刷機の一実施の形態の概略を示す図である。この印刷機は４色の両面印刷機であり、表面用の１色目印刷ユニット１０−１，２色目印刷ユニット１０−２，３色目印刷ユニット１０−３，４色目印刷ユニット１０−４、裏面用の１色目印刷ユニット１０−５，２色目印刷ユニット１０−６，３色目印刷ユニット１０−７，４色目印刷ユニット１０−８、フィーダパイル１１、デリバリーパイル１２、インキプリセット装置（ＫＨＳ）１３、紙サイズ・紙厚プリセット装置１４、自動刷版交換装置（ＡＰＣ）１５、ブランケット洗浄制御装置１６、主制御装置１７、印刷機制御装置１８などを備えている。
【００１７】
自動刷版交換装置１５は印刷ユニット１０毎の刷版の装着や刷版の交換を行う。ブランケット洗浄制御装置１６は印刷ユニット１０毎のブランケットの洗浄を行う。主制御装置１７には印刷開始ボタンＢＴ１が設けられている。印刷機制御装置１８には正紙カウンタＣＮＴ１が設けられている。
【００１８】
なお、インキプリセット装置については特許文献３などに、紙サイズ・紙厚プリセット装置については特許文献４，５，６などに、自動刷版交換装置については特許文献７，８などに、ブランケット洗浄制御装置については特許文献９などに、その詳細な構成が示されているので、ここでの説明は省略する。
【００１９】
図２に印刷ユニット１０内のインキ装置（インカー）の要部を示す。同図において、２０はインキツボ、２１はインキツボ２０に蓄えられたインキ、２２はインキツボローラ、２３（２３−１〜２３−ｎ）はインキツボローラ２２の軸方向に複数並設して設けられたインキツボキー、２４はインキ移しローラ、２５はインキローラ群、２６版胴、２７はブランケット胴、２８は版胴２６に装着された刷版、２９はブランケット胴２７に装着されたブランケットであり、刷版２８には絵柄が焼き付けられている。
【００２０】
このインキ装置では、インキツボキー２３−１〜２３−ｎとインキツボローラ２２との間よりインキツボ２０内のインキ２１をインキツボローラ２２に供給し、このインキツボローラ２２に供給されたインキをインキ移しローラ２４の呼び出し動作によりインキローラ群２５を介して刷版２８へ供給する。この刷版２８に供給されたインキがブランケット２９を介して印刷用紙に印刷される。
【００２１】
以下、この４色の両面印刷機を使用した複数ジョブの印刷について、具体的な例を挙げて説明する。なお、この印刷機における処理動作は、主制御装置１７を中心とするプロセッサや記憶装置からなるハードウェアと、これらのハードウェアと協働して各種機能を実現させるプログラムとによって実現される。また、プログラムは媒体に記憶された形で提供され、ハードウェアシステムに組み込まれている記憶装置、例えばハードディスク装置にインストールされることによって実行される。ここでは、ハードウェアの構成やプログラムの詳細については後述するものとし、理解を早めるために概略的な動作説明を先に行う。
【００２２】
〔具体例１：片面単色印刷を１ジョブとし８ジョブを１サイクルとして印刷を行う場合〕
具体例１では、図３にその印刷ユニット１０内の図形（シンボル）を変えて示すように、印刷ユニット１０−１で１つ目のジョブの印刷を、印刷ユニット１０−２で２つ目のジョブの印刷を、印刷ユニット１０−３で３つ目のジョブの印刷を、印刷ユニット１０−４で４つ目のジョブの印刷を、印刷ユニット１０−５で５つ目のジョブの印刷を、印刷ユニット１０−６で６つ目のジョブの印刷を、印刷ユニット１０−７で７つ目のジョブの印刷を、印刷ユニット１０−８で８つ目のジョブの印刷を行うものとする。
【００２３】
〔サイクル１〕
（１）オペレータが、次の印刷サイクル（サイクル１）で使用する色のインキを各印刷ユニット１０のインキ装置のインキツボ２０に入れる。
（２）オペレータが、各印刷ユニット１０の自動刷版交換装置１５に次の印刷サイクルで使用する刷版２８をセットする。
【００２４】
〔ジョブ１〕
（３）オペレータが、１つ目のジョブの印刷で使用する印刷用紙をフィーダーパイル１１にセットする。
（４）自動刷版交換装置１５で、全印刷ユニット１０に次の印刷サイクルで使用する刷版２８を一度に装着する。
（５）紙サイズ・紙厚プリセット装置１４で、１つ目のジョブの印刷で使用する印刷用紙の紙サイズ・紙厚に対応する位置に各装置（サッカー、フィーダー部の紙ガイドエア吹き、横針、ゴム胴圧胴間の隙間量、吸引車、横寄せ、デリバリー部の紙ガイド等）を移動させる。
【００２５】
（６）インキプリセット装置１３で、全印刷ユニット１０のインキ装置内に基本インキ膜厚分布を作成する。ここでのインキ膜厚分布の作成をプレインキングＩのステップ１と呼ぶ。
プレインキングＩのステップ１では、インキツボキー２３−１〜２３−ｎの開き量を所定開き量（例えば、５０％）としたうえ、またインキツボローラ２２の回転量を所定回転量（例えば、５０％）としたうえ、本機を運転し、インキ移しローラ２４を所定回数呼び出し動作させて、図４（ａ）に示されるような印刷中に必要とされる最低限のインキ膜厚分布（基本インキ膜厚分布）Ｍａをインキローラ群２５に形成する。
【００２６】
（７）インキプリセット装置１３で、１つ目のジョブの印刷で使用する印刷ユニット１０−１（表面１色目）のインキ装置内に１つ目のジョブの絵柄に応じたインキ膜厚分布を作成する。ここでのインキ膜厚分布の作成をプレインキングＩのステップ２と呼ぶ。
プレインキングＩのステップ２では、インキツボキー２３−１〜２３−ｎの開き量やインキツボローラ２２の回転量を刷版２８の絵柄に応じた値にプリセットし、インキ移しローラ２４を所定回数呼び出し動作させて、インキローラ群２５に形成されている印刷中に必要とされる最低限のインキ膜厚分布Ｍａに刷版２８の絵柄に応じたインキ膜厚分布Ｍｂ（図４（ｂ））を重畳する。
【００２７】
（８）オペレータが試刷りを行いながら、１つ目のジョブの印刷の色合わせ見当調整を行う。
（９）オペレータが印刷開始ボタン（プロダクトスイッチ及び高速スイッチ）ＢＴ１を押して、１つ目のジョブの印刷（本刷り）を行う。
この（８），（９）の印刷では、印刷ユニット１０−１（表面１色目）のみ胴入れを行う。
（１０）正紙カウンタＣＮＴ１のカウント値が１つ目のジョブの印刷枚数と同じになったことにより、１つ目のジョブの印刷を終了する。
（１１）オペレータが、１つ目のジョブで印刷した印刷用紙をデリバリーパイル１２から取除く。
【００２８】
〔ジョブ２〕
（１２）オペレータが、２つ目のジョブの印刷で使用する印刷用紙をフィーダーパイル１１にセットする。
（１３）紙サイズ・紙厚プリセット装置１４で、２つ目のジョブの印刷で使用する印刷用紙の紙サイズ・紙厚に対応する位置に各装置を移動させる。
（１４）インキプリセット装置１３で、２つ目のジョブの印刷で使用する印刷ユニット１０−２（表面２色目）のインキ装置内に２つ目のジョブの絵柄に応じたインキ膜厚分布を作成する（プレインキングＩのステップ２）。
【００２９】
（１５）オペレータが試刷りを行いながら、２つ目のジョブの印刷の色合わせ見当調整を行う。
（１６）オペレータが印刷開始ボタン（プロダクトスイッチ及び高速スイッチ）ＢＴ１を押して、２つ目のジョブの印刷（本刷り）を行う。
この（１５），（１６）の印刷では、印刷ユニット１０−２（表面２色目）のみ胴入れを行う。
（１７）正紙カウンタＣＮＴ１のカウント値が２つ目のジョブの印刷枚数と同じになったことにより、２つ目のジョブの印刷を終了する。
（１８）オペレータが、２つ目のジョブで印刷した印刷用紙をデリバリーパイル１２から取除く。
【００３０】
〔ジョブ３〕
（１９）オペレータが、３つ目のジョブの印刷で使用する印刷用紙をフィーダーパイル１１にセットする。
（２０）紙サイズ・紙厚プリセット装置１４で、３つ目のジョブの印刷で使用する印刷用紙の紙サイズ・紙厚に対応する位置に各装置を移動させる。
（２１）インキプリセット装置１３で、３つ目のジョブの印刷で使用する印刷ユニット１０−３（表面３色目）のインキ装置内に３つ目のジョブの絵柄に応じたインキ膜厚分布を作成する（プレインキングＩのステップ２）。
【００３１】
（２２）オペレータが試刷りを行いながら、３つ目のジョブの印刷の色合わせ見当調整を行う。
（２３）オペレータが印刷開始ボタン（プロダクトスイッチ及び高速スイッチ）ＢＴ１を押して、３つ目のジョブの印刷（本刷り）を行う。
この（２２），（２３）の印刷では、印刷ユニット１０−３（表面３色目）のみ胴入れを行う。
（２４）正紙カウンタＣＮＴ１のカウント値が３つ目のジョブの印刷枚数と同じになったことにより、３つ目のジョブの印刷を終了する。
（２５）オペレータが、３つ目のジョブで印刷した印刷用紙をデリバリーパイル１２から取除く。
【００３２】
〔ジョブ４〕
（２６）オペレータが、４つ目のジョブの印刷で使用する印刷用紙をフィーダーパイル１１にセットする。
（２７）紙サイズ・紙厚プリセット装置１４で、４つ目のジョブの印刷で使用する印刷用紙の紙サイズ・紙厚に対応する位置に各装置を移動させる。
（２８）インキプリセット装置１３で、４つ目のジョブの印刷で使用する印刷ユニット１０−４（表面４色目）のインキ装置内に４つ目のジョブの絵柄に応じたインキ膜厚分布を作成する（プレインキングＩのステップ２）。
【００３３】
（２９）オペレータが試刷りを行いながら、４つ目のジョブの印刷の色合わせ見当調整を行う。
（３０）オペレータが印刷開始ボタン（プロダクトスイッチ及び高速スイッチ）ＢＴ１を押して、４つ目のジョブの印刷（本刷り）を行う。
この（２９），（３０）の印刷では、印刷ユニット１０−４（表面４色目）のみ胴入れを行う。
（３１）正紙カウンタＣＮＴ１のカウント値が４つ目のジョブの印刷枚数と同じになったことにより、４つ目のジョブの印刷を終了する。
（３２）オペレータが、４つ目のジョブで印刷した印刷用紙をデリバリーパイル１２から取除く。
【００３４】
〔ジョブ５〕
（３３）オペレータが、５つ目のジョブの印刷で使用する印刷用紙をフィーダーパイル１１にセットする。
（３４）紙サイズ・紙厚プリセット装置１４で、５つ目のジョブの印刷で使用する印刷用紙の紙サイズ・紙厚に対応する位置に各装置を移動させる。
（３５）インキプリセット装置１３で、５つ目のジョブの印刷で使用する印刷ユニット１０−５（裏面１色目）のインキ装置内に５つ目のジョブの絵柄に応じたインキ膜厚分布を作成する（プレインキングＩのステップ２）。
【００３５】
（３６）オペレータが試刷りを行いながら、５つ目のジョブの印刷の色合わせ見当調整を行う。
（３７）オペレータが印刷開始ボタン（プロダクトスイッチ及び高速スイッチ）ＢＴ１を押して、５つ目のジョブの印刷（本刷り）を行う。
この（３６），（３７）の印刷では、印刷ユニット１０−５（裏面１色目）のみ胴入れを行う。
（３８）正紙カウンタＣＮＴ１のカウント値が５つ目のジョブの印刷枚数と同じになったことにより、５つ目のジョブの印刷を終了する。
（３９）オペレータが、５つ目のジョブで印刷した印刷用紙をデリバリーパイル１２から取除く。
【００３６】
〔ジョブ６〕
（４０）オペレータが、６つ目のジョブの印刷で使用する印刷用紙をフィーダーパイル１１にセットする。
（４１）紙サイズ・紙厚プリセット装置１４で、６つ目のジョブの印刷で使用する印刷用紙の紙サイズ・紙厚に対応する位置に各装置を移動させる。
（４２）インキプリセット装置１３で、６つ目のジョブの印刷で使用する印刷ユニット１０−６（裏面２色目）のインキ装置内に６つ目のジョブの絵柄に応じたインキ膜厚分布を作成する（プレインキングＩのステップ２）。
【００３７】
（４３）オペレータが試刷りを行いながら、６つ目のジョブの印刷の色合わせ見当調整を行う。
（４４）オペレータが印刷開始ボタン（プロダクトスイッチ及び高速スイッチ）ＢＴ１を押して、６つ目のジョブの印刷（本刷り）を行う。
この（４３），（４４）の印刷では、印刷ユニット１０−６（裏面２色目）のみ胴入れを行う。
（４５）正紙カウンタＣＮＴ１のカウント値が６つ目のジョブの印刷枚数と同じになったことにより、６つ目のジョブの印刷を終了する。
（４６）オペレータが、６つ目のジョブで印刷した印刷用紙をデリバリーパイル１２から取除く。
【００３８】
〔ジョブ７〕
（４７）オペレータが、７つ目のジョブの印刷で使用する印刷用紙をフィーダーパイル１１にセットする。
（４８）紙サイズ・紙厚プリセット装置１４で、７つ目のジョブの印刷で使用する印刷用紙の紙サイズ・紙厚に対応する位置に各装置を移動させる。
（４９）インキプリセット装置１３で、７つ目のジョブの印刷で使用する印刷ユニット１０−７（裏面３色目）のインキ装置内に７つ目のジョブの絵柄に応じたインキ膜厚分布を作成する（プレインキングＩのステップ２）。
【００３９】
（５０）オペレータが試刷りを行いながら、７つ目のジョブの印刷の色合わせ見当調整を行う。
（５１）オペレータが印刷開始ボタン（プロダクトスイッチ及び高速スイッチ）ＢＴ１を押して、７つ目のジョブの印刷（本刷り）を行う。
この（５０），（５１）の印刷では、印刷ユニット１０−７（裏面３色目）のみ胴入れを行う。
（５２）正紙カウンタＣＮＴ１のカウント値が７つ目のジョブの印刷枚数と同じになったことにより、７つ目のジョブの印刷を終了する。
（５３）オペレータが、７つ目のジョブで印刷した印刷用紙をデリバリーパイル１２から取除く。
【００４０】
〔ジョブ８〕
（５４）オペレータが、８つ目のジョブの印刷で使用する印刷用紙をフィーダーパイル１１にセットする。
（５５）紙サイズ・紙厚プリセット装置１４で、８つ目のジョブの印刷で使用する印刷用紙の紙サイズ・紙厚に対応する位置に各装置を移動させる。
（５６）インキプリセット装置１３で、８つ目のジョブの印刷で使用する印刷ユニット１０−８（裏面４色目）のインキ装置内に８つ目のジョブの絵柄に応じたインキ膜厚分布を作成する（プレインキングＩのステップ２）。
【００４１】
（５７）オペレータが試刷りを行いながら、８つ目のジョブの印刷の色合わせ見当調整を行う。
（５８）オペレータが印刷開始ボタン（プロダクトスイッチ及び高速スイッチ）ＢＴ１を押して、８つ目のジョブの印刷（本刷り）を行う。
この（５７），（５８）の印刷では、印刷ユニット１０−８（裏面４色目）のみ胴入れを行う。
（５９）オペレータが、次の印刷サイクルで使用する刷版を自動刷版交換装置１５にセットする。
（６０）正紙カウンタＣＮＴ１のカウント値が８つ目のジョブの印刷枚数と同じになったことにより、８つ目のジョブの印刷を終了する。
（６１）オペレータが、８つ目のジョブで印刷した印刷用紙をデリバリーパイル１２から取除く。
【００４２】
（６２）インキプリセット装置１３で、全印刷ユニット１０のインキリムービングを一度に行う。
インキリムービングでは、インキ移しローラ２４の呼び出し動作をオフとしたうえ、刷版２８を装着したままの状態で本機を運転し、所定枚数の印刷を行い、これによってインキローラ群２５に上流から下流になるにしたがって薄くなる印刷中に必要とされる最低限のインキ膜厚分布Ｍａ（図４（ａ）参照）、すなわち刷版２８の絵柄のない部分に対応する基本インキ膜厚分布Ｍａを残す。
（６３）各印刷ユニット１０のブランケット洗浄制御装置１６で、全印刷ユニット１０のブランケット洗浄を一度に行う。
【００４３】
〔サイクル２〕
（６４）各印刷ユニット１０の前の印刷サイクル（サイクル１）で使用されたインキと次の印刷サイクル（サイクル２）で使用されるインキが異なる場合、オペレータが、インキが異なる印刷ユニット１０のインキを交換する（インキ装置の洗浄及び次の印刷サイクルで使用する色のインキをインキ装置のインキツボに入れる）。
【００４４】
〔ジョブ１〕
（６５）オペレータが、１つ目のジョブの印刷で使用する印刷用紙をフィーダーパイル１１にセットする。
（６６）自動刷版交換装置１５で、全ユニット１０の前の印刷サイクルで使用した刷版２８を次の印刷サイクルで使用する刷版２８’に一度に交換する。
（６７）紙サイズ・紙厚プリセット装置１４で、１つ目のジョブの印刷で使用する印刷用紙の紙サイズ・紙厚に対応する位置に各装置を移動させる。
【００４５】
（６８）インキプリセット装置１３で、１つ目のジョブの印刷で使用する印刷ユニット１０−１（表面１色目）のインキ装置内に１つ目のジョブの絵柄に応じたインキ膜厚分布を作成する。ここでのインキ膜厚分布の作成をプレインキングIIと呼ぶ。
プレインキングIIでは、インキツボキー２３−１〜２３−ｎの開き量やインキツボローラ２２の回転量などを新刷版２８’の絵柄に応じた値にプリセットしたうえ、本機を運転し、インキ移しローラ２４を所定回数呼び出し動作させて、インキローラ群２５に残されている印刷中に必要とされる最低限のインキ膜厚分布Ｍａに新刷版２８’の絵柄に応じたインキ膜厚分布Ｍｂ（図４（ｂ）参照）を重畳する。
【００４６】
（６９）オペレータが試刷りを行いながら、１つ目のジョブの印刷の色合わせ見当調整を行う。
（７０）オペレータが印刷開始ボタン（プロダクトスイッチ及び高速スイッチ）ＢＴ１を押して、１つ目のジョブの印刷（本刷り）を行う。
この（６９），（７０）の印刷では、印刷ユニット１０−１（表面１色目）のみ胴入れを行う。
（７１）正紙カウンタＣＮＴ１のカウント値が１つ目のジョブの印刷枚数と同じになったことにより、１つ目のジョブの印刷を終了する。
（７２）オペレータが、１つ目のジョブで印刷した印刷用紙をデリバリーパイル１２から取除く。
【００４７】
〔ジョブ２〕
（７３）オペレータが、２つ目のジョブの印刷で使用する印刷用紙をフィーダーパイル１１にセットする。
（７４）紙サイズ・紙厚プリセット装置１４で、２つ目のジョブの印刷で使用する印刷用紙の紙サイズ・紙厚に対応する位置に各装置を移動させる。
（７５）インキプリセット装置１３で、２つ目のジョブの印刷で使用する印刷ユニット１０−２（表面２色目）のインキ装置内に２つ目のジョブの絵柄に応じたインキ膜厚分布を作成する（プレインキングII）。
【００４８】
（７６）オペレータが試刷りを行いながら、２つ目のジョブの印刷の色合わせ見当調整を行う。
（７７）オペレータが印刷開始ボタン（プロダクトスイッチ及び高速スイッチ）ＢＴ１を押して、２つ目のジョブの印刷（本刷り）を行う。
この（７６），（７７）の印刷では、印刷ユニット１０−２（表面２色目）のみ胴入れを行う。
（７８）正紙カウンタＣＮＴ１のカウント値が２つ目のジョブの印刷枚数と同じになったことにより、２つ目のジョブの印刷を終了する。
（７９）オペレータが、２つ目のジョブで印刷した印刷用紙をデリバリーパイル１２から取除く。
【００４９】
〔ジョブ３〕
（８０）オペレータが、３つ目のジョブの印刷で使用する印刷用紙をフィーダーパイル１１にセットする。
（８１）紙サイズ・紙厚プリセット装置１４で、３つ目のジョブの印刷で使用する印刷用紙の紙サイズ・紙厚に対応する位置に各装置を移動させる。
（８２）インキプリセット装置１３で、３つ目のジョブの印刷で使用する印刷ユニット１０−３（表面３色目）のインキ装置内に３つ目のジョブの絵柄に応じたインキ膜厚分布を作成する（プレインキングII）。
【００５０】
（８３）オペレータが試刷りを行いながら、３つ目のジョブの印刷の色合わせ見当調整を行う。
（８４）オペレータが印刷開始ボタン（プロダクトスイッチ及び高速スイッチ）ＢＴ１を押して、３つ目のジョブの印刷（本刷り）を行う。
この（８３），（８４）の印刷では、印刷ユニット１０−３（表面３色目）のみ胴入れを行う。
（８５）正紙カウンタＣＮＴ１のカウント値が３つ目のジョブの印刷枚数と同じになったことにより、３つ目のジョブの印刷を終了する。
（８６）オペレータが、３つ目のジョブで印刷した印刷用紙をデリバリーパイル１２から取除く。
【００５１】
〔ジョブ４〕
（８７）オペレータが、４つ目のジョブの印刷で使用する印刷用紙をフィーダーパイル１１にセットする。
（８８）紙サイズ・紙厚プリセット装置１４で、４つ目のジョブの印刷で使用する印刷用紙の紙サイズ・紙厚に対応する位置に各装置を移動させる。
（８９）インキプリセット装置１３で、４つ目のジョブの印刷で使用する印刷ユニット１０−４（表面４色目）のインキ装置内に４つ目のジョブの絵柄に応じたインキ膜厚分布を作成する（プレインキングII）。
【００５２】
（９０）オペレータが試刷りを行いながら、４つ目のジョブの印刷の色合わせ見当調整を行う。
（９１）オペレータが印刷開始ボタン（プロダクトスイッチ及び高速スイッチ）ＢＴ１を押して、４つ目のジョブの印刷（本刷り）を行う。
この（９０），（９１）の印刷では、印刷ユニット１０−４（表面４色目）のみ胴入れを行う。
（９２）正紙カウンタＣＮＴ１のカウント値が４つ目のジョブの印刷枚数と同じになったことにより、４つ目のジョブの印刷を終了する。
（９３）オペレータが、４つ目のジョブで印刷した印刷用紙をデリバリーパイル１２から取除く。
【００５３】
〔ジョブ５〕
（９４）オペレータが、５つ目のジョブの印刷で使用する印刷用紙をフィーダーパイル１１にセットする。
（９５）紙サイズ・紙厚プリセット装置１４で、５つ目のジョブの印刷で使用する印刷用紙の紙サイズ・紙厚に対応する位置に各装置を移動させる。
（９６）インキプリセット装置１３で、５つ目のジョブの印刷で使用する印刷ユニット１０−５（裏面１色目）のインキ装置内に５つ目のジョブの絵柄に応じたインキ膜厚分布を作成する（プレインキングII）。
【００５４】
（９７）オペレータが試刷りを行いながら、５つ目のジョブの印刷の色合わせ見当調整を行う。
（９８）オペレータが印刷開始ボタン（プロダクトスイッチ及び高速スイッチ）ＢＴ１を押して、５つ目のジョブの印刷（本刷り）を行う。
この（９７），（９８）の印刷では、印刷ユニット１０−５（裏面１色目）のみ胴入れを行う。
（９９）正紙カウンタＣＮＴ１のカウント値が５つ目のジョブの印刷枚数と同じになったことにより、５つ目のジョブの印刷を終了する。
（１００）オペレータが、５つ目のジョブで印刷した印刷用紙をデリバリーパイル１２から取除く。
【００５５】
〔ジョブ６〕
（１０１）オペレータが、６つ目のジョブの印刷で使用する印刷用紙をフィーダーパイル１１にセットする。
（１０２）紙サイズ・紙厚プリセット装置１４で、６つ目のジョブの印刷で使用する印刷用紙の紙サイズ・紙厚に対応する位置に各装置を移動させる。
（１０３）インキプリセット装置１３で、６つ目のジョブの印刷で使用する印刷ユニット１０−６（裏面２色目）のインキ装置内に６つ目のジョブの絵柄に応じたインキ膜厚分布を作成する（プレインキングII）。
【００５６】
（１０４）オペレータが試刷りを行いながら、６つ目のジョブの印刷の色合わせ見当調整を行う。
（１０５）オペレータが印刷開始ボタン（プロダクトスイッチ及び高速スイッチ）ＢＴ１を押して、６つ目のジョブの印刷（本刷り）を行う。
この（１０４），（１０５）の印刷では、印刷ユニット１０−６（裏面２色目）のみ胴入れを行う。
（１０６）正紙カウンタＣＮＴ１のカウント値が６つ目のジョブの印刷枚数と同じになったことにより、６つ目のジョブの印刷を終了する。
（１０７）オペレータが、６つ目のジョブで印刷した印刷用紙をデリバリーパイル１２から取除く。
【００５７】
〔ジョブ７〕
（１０８）オペレータが、７つ目のジョブの印刷で使用する印刷用紙をフィーダーパイル１１にセットする。
（１０９）紙サイズ・紙厚プリセット装置１４で、７つ目のジョブの印刷で使用する印刷用紙の紙サイズ・紙厚に対応する位置に各装置を移動させる。
（１１０）インキプリセット装置１３で、７つ目のジョブの印刷で使用する印刷ユニット１０−７（裏面３色目）のインキ装置内に７つ目のジョブの絵柄に応じたインキ膜厚分布を作成する（プレインキングII）。
【００５８】
（１１１）オペレータが試刷りを行いながら、７つ目のジョブの印刷の色合わせ見当調整を行う。
（１１２）オペレータが印刷開始ボタン（プロダクトスイッチ及び高速スイッチ）ＢＴ１を押して、７つ目のジョブの印刷（本刷り）を行う。
この（１１１），（１１２）の印刷では、印刷ユニット１０−７（裏面３色目）のみ胴入れを行う。
（１１３）正紙カウンタＣＮＴ１のカウント値が７つ目のジョブの印刷枚数と同じになったことにより、７つ目のジョブの印刷を終了する。
（１１４）オペレータが、７つ目のジョブで印刷した印刷用紙をデリバリーパイル１２から取除く。
【００５９】
〔ジョブ８〕
（１１５）オペレータが、８つ目のジョブの印刷で使用する印刷用紙をフィーダーパイル１１にセットする。
（１１６）紙サイズ・紙厚プリセット装置１４で、８つ目のジョブの印刷で使用する印刷用紙の紙サイズ・紙厚に対応する位置に各装置を移動させる。
（１１７）インキプリセット装置１３で、８つ目のジョブの印刷で使用する印刷ユニット１０−８（裏面４色目）のインキ装置内に８つ目のジョブの絵柄に応じたインキ膜厚分布を作成する（プレインキングII）。
【００６０】
（１１８）オペレータが試刷りを行いながら、８つ目のジョブの印刷の色合わせ見当調整を行う。
（１１９）オペレータが印刷開始ボタン（プロダクトスイッチ及び高速スイッチ）ＢＴ１を押して、８つ目のジョブの印刷（本刷り）を行う。
この（１１８），（１１９）の印刷では、印刷ユニット１０−８（裏面４色目）のみ胴入れを行う。
（１２０）オペレータが、次の印刷サイクルで使用する刷版２８”を自動刷版交換装置１５にセットする。
（１２１）正紙カウンタＣＮＴ１のカウント値が８つ目のジョブの印刷枚数と同じになったことにより、８つ目のジョブの印刷を終了する。
（１２２）オペレータが、８つ目のジョブで印刷した印刷用紙をデリバリーパイル１２から取除く。
【００６１】
（１２３）インキプリセット装置１３で、全印刷ユニット１０のインキリムービングを一度に行う。
（１２４）各印刷ユニット１０のブランケット洗浄制御装置１６で、全印刷ユニット１０のブランケット洗浄を一度に行う。
（１２５）すべての印刷が終了するまで、前記（６４)〜（１２４)を繰り返す。
【００６２】
〔具体例２：両面単色印刷を１ジョブとし４ジョブを１サイクルとして印刷を行う場合〕
具体例２では、図５にその印刷ユニット１０内の図形（シンボル）を変えて示すように、印刷ユニット１０−１と１０−５とで１つ目のジョブの印刷を、印刷ユニット１０−２と１０−６とで２つ目のジョブの印刷を、印刷ユニット１０−３と１０−７とで３つ目のジョブの印刷を、印刷ユニット１０−４と１０−８とで４つ目のジョブの印刷を行うものとする。
【００６３】
〔サイクル１〕
（１）オペレータが、次の印刷サイクル（サイクル１）で使用する色のインキを各印刷ユニット１０のインキ装置のインキツボ２０に入れる。
（２）オペレータが、各印刷ユニット１０の自動刷版交換装置１５に次の印刷サイクルで使用する刷版２８をセットする。
【００６４】
〔ジョブ１〕
（３）オペレータが、１つ目のジョブの印刷で使用する印刷用紙をフィーダーパイル１１にセットする。
（４）自動刷版交換装置１５で、全ユニット１０に次の印刷サイクルで使用する刷版２８を一度に装着する。
（５）紙サイズ・紙厚プリセット装置１４で、１つ目のジョブの印刷で使用する印刷用紙の紙サイズ・紙厚に対応する位置に各装置（サッカー、フィーダー部の紙ガイドエア吹き、横針、ゴム胴圧胴間の隙間量、吸引車、横寄せ、デリバリー部の紙ガイド等）を移動させる。
【００６５】
（６）インキプリセット装置１３で、全印刷ユニット１０のインキ装置内に基本インキ膜厚分布を作成する（プレインキングＩのステップ１）。
（７）インキプリセット装置１３で、１つ目のジョブの印刷で使用する印刷ユニット１０−１と１０−５（表裏面１色目）のインキ装置内に１つ目のジョブの絵柄に応じたインキ膜厚分布を作成する（プレインキングＩのステップ２）。
【００６６】
（８）オペレータが試刷りを行いながら、１つ目のジョブの印刷の色合わせ見当調整を行う。
（９）オペレータが印刷開始ボタン（プロダクトスイッチ及び高速スイッチ）ＢＴ１を押して、１つ目のジョブの印刷（本刷り）を行う。
この（８），（９）の印刷では、印刷ユニット１０−１と１０−５（表裏面１色目）のみ胴入れを行う。
（１０）正紙カウンタＣＮＴ１のカウント値が１つ目のジョブの印刷枚数と同じになったことにより、１つ目のジョブの印刷を終了する。
（１１）オペレータが、１つ目のジョブで印刷した印刷用紙をデリバリーパイル１２から取除く。
【００６７】
〔ジョブ２〕
（１２）オペレータが、２つ目のジョブの印刷で使用する印刷用紙をフィーダーパイル１１にセットする。
（１３）紙サイズ・紙厚プリセット装置１４で、２つ目のジョブの印刷で使用する印刷用紙の紙サイズ・紙厚に対応する位置に各装置を移動させる。
（１４）インキプリセット装置１３で、２つ目のジョブの印刷で使用する印刷ユニット１０−２と１０−６（表裏面２色目）のインキ装置内に２つ目のジョブの絵柄に応じたインキ膜厚分布を作成する（プレインキングＩのステップ２）。
【００６８】
（１５）オペレータが試刷りを行いながら、２つ目のジョブの印刷の色合わせ見当調整を行う。
（１６）オペレータが印刷開始ボタン（プロダクトスイッチ及び高速スイッチ）ＢＴ１を押して、２つ目のジョブの印刷（本刷り）を行う。
この（１５），（１６）の印刷では、印刷ユニット１０−２と１０−６（表裏面２色目）のみ胴入れを行う。
（１７）正紙カウンタＣＮＴ１のカウント値が２つ目のジョブの印刷枚数と同じになったことにより、２つ目のジョブの印刷を終了する。
（１８）オペレータが、２つ目のジョブで印刷した印刷用紙をデリバリーパイル１２から取除く。
【００６９】
〔ジョブ３〕
（１９）オペレータが、３つ目のジョブの印刷で使用する印刷用紙をフィーダーパイル１１にセットする。
（２０）紙サイズ・紙厚プリセット装置１４で、３つ目のジョブの印刷で使用する印刷用紙の紙サイズ・紙厚に対応する位置に各装置を移動させる。
（２１）インキプリセット装置１３で、３つ目のジョブの印刷で使用する印刷ユニット１０−３と１０−７（表裏面３色目）のインキ装置内に３つ目のジョブの絵柄に応じたインキ膜厚分布を作成する（プレインキングＩのステップ２）。
【００７０】
（２２）オペレータが試刷りを行いながら、３つ目のジョブの印刷の色合わせ見当調整を行う。
（２３）オペレータが印刷開始ボタン（プロダクトスイッチ及び高速スイッチ）ＢＴ１を押して、３つ目のジョブの印刷（本刷り）を行う。
この（２２），（２３）の印刷では、印刷ユニット１０−３と１０−７（表裏面３色目）のみ胴入れを行う。
（２４）正紙カウンタＣＮＴ１のカウント値が３つ目のジョブの印刷枚数と同じになったことにより、３つ目のジョブの印刷を終了する。
（２５）オペレータが、３つ目のジョブで印刷した印刷用紙をデリバリーパイル１２から取除く。
【００７１】
〔ジョブ４〕
（２６）オペレータが、４つ目のジョブの印刷で使用する印刷用紙をフィーダーパイル１１にセットする。
（２７）紙サイズ・紙厚プリセット装置１４で、４つ目のジョブの印刷で使用する印刷用紙の紙サイズ・紙厚に対応する位置に各装置を移動させる。
（２８）インキプリセット装置１３で、４つ目のジョブの印刷で使用する印刷ユニット１０−４と１０−８（表裏面４色目）のインキ装置内に４つ目のジョブの絵柄に応じたインキ膜厚分布を作成する（プレインキングＩのステップ２）。
【００７２】
（２９）オペレータが試刷りを行いながら、４つ目のジョブの印刷の色合わせ見当調整を行う。
（３０）オペレータが印刷開始ボタン（プロダクトスイッチ及び高速スイッチ）ＢＴ１を押して、４つ目のジョブの印刷（本刷り）を行う。
この（２９），（３０）の印刷では、印刷ユニット１０−４と１０−８（表裏面４色目）のみ胴入れを行う。
（３１）オペレータが、次の印刷サイクルで使用する刷版２８’を自動刷版交換装置１５にセットする。
（３２）正紙カウンタＣＮＴ１のカウント値が４つ目のジョブの印刷枚数と同じになったことにより、４つ目のジョブの印刷を終了する。
（３３）オペレータが、４つ目のジョブで印刷した印刷用紙をデリバリーパイル１２から取除く。
【００７３】
（３４）インキプリセット装置１３で、全印刷ユニット１０のインキリムービングを一度に行う。
（３５）各印刷ユニット１０のブランケット洗浄制御装置１６で、全印刷ユニット１０のブランケット洗浄を一度に行う。
【００７４】
〔サイクル２〕
（３６）各印刷ユニット１０の前の印刷サイクル（サイクル１）で使用されたインキと次の印刷サイクル（サイクル２）で使用されるインキが異なる場合、オペレータが、インキが異なる印刷ユニット１０のインキを交換する（インキ装置の洗浄及び次の印刷サイクルで使用する色のインキをインキ装置のインキツボに入れる）。
【００７５】
〔ジョブ１〕
（３７）オペレータが、１つ目のジョブの印刷で使用する印刷用紙をフィーダーパイル１１にセットする。
（３８）自動刷版交換装置１５で、全ユニット１０の前の印刷サイクルで使用した刷版２８を次の印刷サイクルで使用する刷版２８’に一度に交換する。
（３９）紙サイズ・紙厚プリセット装置１４で、１つ目のジョブの印刷で使用する印刷用紙の紙サイズ・紙厚に対応する位置に各装置を移動させる。
【００７６】
（４０）インキプリセット装置１３で、１つ目のジョブの印刷で使用する印刷ユニット１０−１と１０−５（表裏面１色目）のインキ装置内に１つ目のジョブの絵柄に応じたインキ膜厚分布を作成する（プレインキングII）。
【００７７】
（４１）オペレータが試刷りを行いながら、１つ目のジョブの印刷の色合わせ見当調整を行う。
（４２）オペレータが印刷開始ボタン（プロダクトスイッチ及び高速スイッチ）ＢＴ１を押して、１つ目のジョブの印刷（本刷り）を行う。
この（４１），（４２）の印刷では、印刷ユニット１０−１と１０−５（表裏面１色目）のみ胴入れを行う。
（４３）正紙カウンタＣＮＴ１のカウント値が１つ目のジョブの印刷枚数と同じになったことにより、１つ目のジョブの印刷を終了する。
（４４）オペレータが、１つ目のジョブで印刷した印刷用紙をデリバリーパイル１２から取除く。
【００７８】
〔ジョブ２〕
（４５）オペレータが、２つ目のジョブの印刷で使用する印刷用紙をフィーダーパイル１１にセットする。
（４６）紙サイズ・紙厚プリセット装置１４で、２つ目のジョブの印刷で使用する印刷用紙の紙サイズ・紙厚に対応する位置に各装置を移動させる。
（４７）インキプリセット装置１３で、２つ目のジョブの印刷で使用する印刷ユニット１０−２と１０−６（表裏面２色目）のインキ装置内に２つ目のジョブの絵柄に応じたインキ膜厚分布を作成する（プレインキングII）。
【００７９】
（４８）オペレータが試刷りを行いながら、２つ目のジョブの印刷の色合わせ見当調整を行う。
（４９）オペレータが印刷開始ボタン（プロダクトスイッチ及び高速スイッチ）ＢＴ１を押して、２つ目のジョブの印刷（本刷り）を行う。
この（４８），（４９）の印刷では、印刷ユニット１０−２と１０−６（表裏面２色目）のみ胴入れを行う。
（５０）正紙カウンタＣＮＴ１のカウント値が２つ目のジョブの印刷枚数と同じになったことにより、２つ目のジョブの印刷を終了する。
（５１）オペレータが、２つ目のジョブで印刷した印刷用紙をデリバリーパイル１２から取除く。
【００８０】
〔ジョブ３〕
（５２）オペレータが、３つ目のジョブの印刷で使用する印刷用紙をフィーダーパイル１１にセットする。
（５３）紙サイズ・紙厚プリセット装置１４で、３つ目のジョブの印刷で使用する印刷用紙の紙サイズ・紙厚に対応する位置に各装置を移動させる。
（５４）インキプリセット装置１３で、３つ目のジョブの印刷で使用する印刷ユニット１０−３と１０−７（表裏面３色目）のインキ装置内に３つ目のジョブの絵柄に応じたインキ膜厚分布を作成する（プレインキングII）。
【００８１】
（５５）オペレータが試刷りを行いながら、３つ目のジョブの印刷の色合わせ見当調整を行う。
（５６）オペレータが印刷開始ボタン（プロダクトスイッチ及び高速スイッチ）ＢＴ１を押して、３つ目のジョブの印刷（本刷り）を行う。
この（５５），（５６）の印刷では、印刷ユニット１０−３と１０−７（表裏面３色目）のみ胴入れを行う。
（５７）正紙カウンタＣＮＴ１のカウント値が３つ目のジョブの印刷枚数と同じになったことにより、３つ目のジョブの印刷を終了する。
（５８）オペレータが、３つ目のジョブで印刷した印刷用紙をデリバリーパイル１２から取除く。
【００８２】
〔ジョブ４〕
（５９）オペレータが、４つ目のジョブの印刷で使用する印刷用紙をフィーダーパイル１１にセットする。
（６０）紙サイズ・紙厚プリセット装置１４で、４つ目のジョブの印刷で使用する印刷用紙の紙サイズ・紙厚に対応する位置に各装置を移動させる。
（６１）インキプリセット装置１３で、４つ目のジョブの印刷で使用する印刷ユニット１０−４と１０−８（表裏面４色目）のインキ装置内に４つ目のジョブの絵柄に応じたインキ膜厚分布を作成する（プレインキングII）。
【００８３】
（６２）オペレータが試刷りを行いながら、４つ目のジョブの印刷の色合わせ見当調整を行う。
（６３）オペレータが印刷開始ボタン（プロダクトスイッチ及び高速スイッチ）ＢＴ１を押して、４つ目のジョブの印刷（本刷り）を行う。
この（６２），（６３）の印刷では、印刷ユニット１０−４と１０−８（表裏面４色目）のみ胴入れを行う。
（６４）オペレータが、次の印刷サイクルで使用する刷版２８”を自動刷版交換装置１５にセットする。
（６５）正紙カウンタＣＮＴ１のカウント値が４つ目のジョブの印刷枚数と同じになったことにより、４つ目のジョブの印刷を終了する。
（６６）オペレータが、４つ目のジョブで印刷した印刷用紙をデリバリーパイル１２から取除く。
【００８４】
（６７）インキプリセット装置１３で、全印刷ユニット１０のインキリムービングを一度に行う。
（６８）各印刷ユニット１０のブランケット洗浄制御装置１６で、全印刷ユニット１０のブランケット洗浄を一度に行う。
（６９）すべての印刷が終了するまで、前記（３６)〜（６８)を繰り返す。
【００８５】
〔具体例３：片面２色印刷を１ジョブとし４ジョブを１サイクルとして印刷を行う場合〕
具体例３では、図６にその印刷ユニット１０内の図形（シンボル）を変えて示すように、印刷ユニット１０−１と１０−２とで１つ目のジョブの印刷を、印刷ユニット１０−３と１０−４とで２つ目のジョブの印刷を、印刷ユニット１０−５と１０−６とで３つ目のジョブの印刷を、印刷ユニット１０−７と１０−８とで４つ目のジョブの印刷を行うものとする。
【００８６】
〔サイクル１〕
（１）オペレータが、次の印刷サイクル（サイクル１）で使用する色のインキを各印刷ユニット１０のインキ装置のインキツボ２０に入れる。
（２）オペレータが、各印刷ユニット１０の自動刷版交換装置１５に次の印刷サイクルで使用する刷版２８をセットする。
【００８７】
〔ジョブ１〕
（３）オペレータが、１つ目のジョブの印刷で使用する印刷用紙をフィーダーパイル１１にセットする。
（４）自動刷版交換装置１５で、全ユニット１０に次の印刷サイクルで使用する刷版２８を一度に装着する。
（５）紙サイズ・紙厚プリセット装置１４で、１つ目のジョブの印刷で使用する印刷用紙の紙サイズ・紙厚に対応する位置に各装置（サッカー、フィーダー部の紙ガイドエア吹き、横針、ゴム胴圧胴間の隙間量、吸引車、横寄せ、デリバリー部の紙ガイド等）を移動させる。
【００８８】
（６）インキプリセット装置１３で、全印刷ユニット１０のインキ装置内に基本インキ膜厚分布を作成する（プレインキングＩのステップ１）。
（７）インキプリセット装置１３で、１つ目のジョブの印刷で使用する印刷ユニット１０−１と１０−２（表面１、２色目）のインキ装置内に１つ目のジョブの絵柄に応じたインキ膜厚分布を作成する（プレインキングＩのステップ２）。
【００８９】
（８）オペレータが試刷りを行いながら、１つ目のジョブの印刷の色合わせ見当調整を行う。
（９）オペレータが印刷開始ボタン（プロダクトスイッチ及び高速スイッチ）ＢＴ１を押して、１つ目のジョブの印刷（本刷り）を行う。
この（８），（９）の印刷では、印刷ユニット１０−１と１０−２（表面１、２色目）のみ胴入れを行う。
（１０）正紙カウンタＣＮＴ１のカウント値が１つ目のジョブの印刷枚数と同じになったことにより、１つ目のジョブの印刷を終了する。
（１１）オペレータが、１つ目のジョブで印刷した印刷用紙をデリバリーパイル１２から取除く。
【００９０】
〔ジョブ２〕
（１２）オペレータが、２つ目のジョブの印刷で使用する印刷用紙をフィーダーパイル１１にセットする。
（１３）紙サイズ・紙厚プリセット装置１４で、２つ目のジョブの印刷で使用する印刷用紙の紙サイズ・紙厚に対応する位置に各装置を移動させる。
（１４）インキプリセット装置１３で、２つ目のジョブの印刷で使用する印刷ユニット１０−３と１０−４（表面３、４色目）のインキ装置内に２つ目のジョブの絵柄に応じたインキ膜厚分布を作成する（プレインキングＩのステップ２）。
【００９１】
（１５）オペレータが試刷りを行いながら、２つ目のジョブの印刷の色合わせ見当調整を行う。
（１６）オペレータが印刷開始ボタン（プロダクトスイッチ及び高速スイッチ）ＢＴ１を押して、２つ目のジョブの印刷（本刷り）を行う。
この（１５），（１６）の印刷では、印刷ユニット１０−３と１０−４（表面３、４色目）のみ胴入れを行う。
（１７）正紙カウンタＣＮＴ１のカウント値が２つ目のジョブの印刷枚数と同じになったことにより、２つ目のジョブの印刷を終了する。
（１８）オペレータが、２つ目のジョブで印刷した印刷用紙をデリバリーパイル１２から取除く。
【００９２】
〔ジョブ３〕
（１９）オペレータが、３つ目のジョブの印刷で使用する印刷用紙をフィーダーパイル１１にセットする。
（１２）紙サイズ・紙厚プリセット装置１４で、３つ目のジョブの印刷で使用する印刷用紙の紙サイズ・紙厚に対応する位置に各装置を移動させる。
（２１）インキプリセット装置１３で、３つ目のジョブの印刷で使用する印刷ユニット１０−５と１０−６（裏面１、２色目）のインキ装置内に３つ目のジョブの絵柄に応じたインキ膜厚分布を作成する（プレインキングＩのステップ２）。
【００９３】
（２２）オペレータが試刷りを行いながら、３つ目のジョブの印刷の色合わせ見当調整を行う。
（２３）オペレータが印刷開始ボタン（プロダクトスイッチ及び高速スイッチ）ＢＴ１を押して、３つ目のジョブの印刷（本刷り）を行う。
この（２２），（２３）の印刷では、印刷ユニット１０−５と１０−６（裏面１、２色目）のみ胴入れを行う。
（２４）正紙カウンタＣＮＴ１のカウント値が３つ目のジョブの印刷枚数と同じになったことにより、３つ目のジョブの印刷を終了する。
（２５）オペレータが、３つ目のジョブで印刷した印刷用紙をデリバリーパイル１２から取除く。
【００９４】
〔ジョブ４〕
（２６）オペレータが、４つ目のジョブの印刷で使用する印刷用紙をフィーダーパイル１１にセットする。
（２７）紙サイズ・紙厚プリセット装置１４で、４つ目のジョブの印刷で使用する印刷用紙の紙サイズ・紙厚に対応する位置に各装置を移動させる。
（２８）インキプリセット装置１３で、４つ目のジョブの印刷で使用する印刷ユニット１０−７と１０−８（裏面３、４色目）のインキ装置内に４つ目のジョブの絵柄に応じたインキ膜厚分布を作成する（プレインキングＩのステップ２）。
【００９５】
（２９）オペレータが試刷りを行いながら、４つ目のジョブの印刷の色合わせ見当調整を行う。
（３０）オペレータが印刷開始ボタン（プロダクトスイッチ及び高速スイッチ）ＢＴ１を押して、４つ目のジョブの印刷（本刷り）を行う。
この（２９），（３０）の印刷では、印刷ユニット１０−７と１０−８（裏面３、４色目）のみ胴入れを行う。
（３１）オペレータが、次の印刷サイクルで使用する刷版２８’を自動刷版交換装置１５にセットする。
（３２）正紙カウンタＣＮＴ１のカウント値が４つ目のジョブの印刷枚数と同じになったことにより、４つ目のジョブの印刷を終了する。
（３３）オペレータが、４つ目のジョブで印刷した印刷用紙をデリバリーパイル１２から取除く。
【００９６】
（３４）インキプリセット装置１３で、全印刷ユニット１０のインキリムービングを一度に行う。
（３５）各印刷ユニット１０のブランケット洗浄制御装置１６で、全印刷ユニット１０のブランケット洗浄を一度に行う。
【００９７】
〔サイクル２〕
（３６）各印刷ユニット１０の前の印刷サイクル（サイクル１）で使用されたインキと次の印刷サイクル（サイクル２）で使用されるインキが異なる場合、オペレータが、インキが異なる印刷ユニット１０のインキを交換する（インキ装置の洗浄及び次の印刷サイクルで使用する色のインキをインキ装置のインキツボに入れる）。
【００９８】
〔ジョブ１〕
（３７）オペレータが、１つ目のジョブの印刷で使用する印刷用紙をフィーダーパイル１１にセットする。
（３８）自動刷版交換装置１５で、全ユニット１０の前の印刷サイクルで使用した刷版２８を次の印刷サイクルで使用する刷版２８’に一度に交換する。
（３９）紙サイズ・紙厚プリセット装置１４で、１つ目のジョブの印刷で使用する印刷用紙の紙サイズ・紙厚に対応する位置に各装置を移動させる。
【００９９】
（４０）インキプリセット装置１３で、１つ目のジョブの印刷で使用する印刷ユニット１０−１と１０−２（表面１、２色目）のインキ装置内に１つ目のジョブの絵柄に応じたインキ膜厚分布を作成する（プレインキングII）。
【０１００】
（４１）オペレータが試刷りを行いながら、１つ目のジョブの印刷の色合わせ見当調整を行う。
（４２）オペレータが印刷開始ボタン（プロダクトスイッチ及び高速スイッチ）ＢＴ１を押して、１つ目のジョブの印刷（本刷り）を行う。
この（４１），（４２）の印刷では、印刷ユニット１０−１と１０−２（表面１、２色目）のみ胴入れを行う。
（４３）正紙カウンタＣＮＴ１のカウント値が１つ目のジョブの印刷枚数と同じになったことにより、１つ目のジョブの印刷を終了する。
（４４）オペレータが、１つ目のジョブで印刷した印刷用紙をデリバリーパイル１２から取除く。
【０１０１】
〔ジョブ２〕
（４５）オペレータが、２つ目のジョブの印刷で使用する印刷用紙をフィーダーパイル１１にセットする。
（４６）紙サイズ・紙厚プリセット装置１４で、２つ目のジョブの印刷で使用する印刷用紙の紙サイズ・紙厚に対応する位置に各装置を移動させる。
（４７）インキプリセット装置１３で、２つ目のジョブの印刷で使用する印刷ユニット１０−３と１０−４（表面３、４色目）のインキ装置内に２つ目のジョブの絵柄に応じたインキ膜厚分布を作成する（プレインキングII）。
【０１０２】
（４８）オペレータが試刷りを行いながら、２つ目のジョブの印刷の色合わせ見当調整を行う。
（４９）オペレータが印刷開始ボタン（プロダクトスイッチ及び高速スイッチ）ＢＴ１を押して、２つ目のジョブの印刷（本刷り）を行う。
この（４８），（４９）の印刷では、印刷ユニット１０−３と１０−４（表面３、４色目）のみ胴入れを行う。
（５０）正紙カウンタＣＮＴ１のカウント値が２つ目のジョブの印刷枚数と同じになったことにより、２つ目のジョブの印刷を終了する。
（５１）オペレータが、２つ目のジョブで印刷した印刷用紙をデリバリーパイル１２から取除く。
【０１０３】
〔ジョブ３〕
（５２）オペレータが、３つ目のジョブの印刷で使用する印刷用紙をフィーダーパイル１１にセットする。
（５３）紙サイズ・紙厚プリセット装置１４で、３つ目のジョブの印刷で使用する印刷用紙の紙サイズ・紙厚に対応する位置に各装置を移動させる。
（５４）インキプリセット装置１３で、３つ目のジョブの印刷で使用する印刷ユニット１０−５と１０−６（裏面１、２色目）のインキ装置内に３つ目のジョブの絵柄に応じたインキ膜厚分布を作成する（プレインキングII）。
【０１０４】
（５５）オペレータが試刷りを行いながら、３つ目のジョブの印刷の色合わせ見当調整を行う。
（５６）オペレータが印刷開始ボタン（プロダクトスイッチ及び高速スイッチ）ＢＴ１を押して、３つ目のジョブの印刷（本刷り）を行う。
この（５５），（５６）の印刷では、印刷ユニット１０−５と１０−６（裏面１、２色目）のみ胴入れを行う。
（５７）正紙カウンタＣＮＴ１のカウント値が３つ目のジョブの印刷枚数と同じになったことにより、３つ目のジョブの印刷を終了する。
（５８）オペレータが、３つ目のジョブで印刷した印刷用紙をデリバリーパイル１２から取除く。
【０１０５】
〔ジョブ４〕
（５９）オペレータが、４つ目のジョブの印刷で使用する印刷用紙をフィーダーパイル１１にセットする。
（６０）紙サイズ・紙厚プリセット装置１４で、４つ目のジョブの印刷で使用する印刷用紙の紙サイズ・紙厚に対応する位置に各装置を移動させる。
（６１）インキプリセット装置１３で、４つ目のジョブの印刷で使用する印刷ユニット１０−７と１０−８（裏面３、４色目）のインキ装置内に４つ目のジョブの絵柄に応じたインキ膜厚分布を作成する（プレインキングII）。
【０１０６】
（６２）オペレータが試刷りを行いながら、４つ目のジョブの印刷の色合わせ見当調整を行う。
（６３）オペレータが印刷開始ボタン（プロダクトスイッチ及び高速スイッチ）ＢＴ１を押して、４つ目のジョブの印刷（本刷り）を行う。
この（６２），（６３）の印刷では、印刷ユニット１０−７と１０−８（裏面３、４色目）のみ胴入れを行う。
（６４）オペレータが、次の印刷サイクルで使用する刷版２８”を自動刷版交換装置１５にセットする。
（６５）正紙カウンタＣＮＴ１のカウント値が４つ目のジョブの印刷枚数と同じになったことにより、４つ目のジョブの印刷を終了する。
（６６）オペレータが、４つ目のジョブで印刷した印刷用紙をデリバリーパイル１２から取除く。
【０１０７】
（６７）インキプリセット装置１３で、全印刷ユニット１０のインキリムービングを一度に行う。
（６８）各印刷ユニット１０のブランケット洗浄制御装置１６で、全印刷ユニット１０のブランケット洗浄を一度に行う。
（６９）すべての印刷が終了するまで、前記（３６)〜（６８)を繰り返す。
【０１０８】
〔具体例４：１回目の印刷サイクルでは片面単色印刷（１つ目のジョブ）→片面２色印刷（２つ目のジョブ）→両面単色印刷（３つ目のジョブ）→片面単色印刷（４つ目のジョブ）→片面２色印刷（５つ目のジョブ）を、２回目の印刷サイクルでは両面２色印刷（１つ目のジョブ）→両面２色印刷（２つ目のジョブ）を行う場合〕
具体例４では、図７にその印刷ユニット１０内の図形（シンボル）を変えて示すように、１回目の印刷サイクル（サイクル１）で、印刷ユニット１０−１で１つ目のジョブの印刷を、印刷ユニット１０−２と１０−３とで２つ目のジョブの印刷を、印刷ユニット１０−４と１０−８とで３つ目のジョブの印刷を、印刷ユニット１０−５で４つ目のジョブの印刷を、印刷ユニット１０−６と１０−７とで５つ目のジョブの印刷を行い、２回目の印刷サイクル（サイクル２）で、印刷ユニット１０−１，１０−２，１０−５，１０−６で１つ目のジョブの印刷を、印刷ユニット１０−３，１０−４，１０−７，１０−８で２つ目のジョブの印刷を行うものとする。
【０１０９】
〔サイクル１〕
（１）オペレータが、次の印刷サイクル（サイクル１）で使用する色のインキを各印刷ユニット１０のインキ装置のインキツボ２０に入れる。
（２）オペレータが、各印刷ユニット１０の自動刷版交換装置１５に次の印刷サイクルで使用する刷版２８をセットする。
【０１１０】
〔ジョブ１〕
（３）オペレータが、１つ目のジョブの印刷で使用する印刷用紙をフィーダーパイル１１にセットする。
（４）自動刷版交換装置１５で、全ユニット１０に次の印刷サイクルで使用する刷版２８を一度に装着する。
（５）紙サイズ・紙厚プリセット装置１４で、１つ目のジョブの印刷で使用する印刷用紙の紙サイズ・紙厚に対応する位置に各装置（サッカー、フィーダー部の紙ガイドエア吹き、横針、ゴム胴圧胴間の隙間量、吸引車、横寄せ、デリバリー部の紙ガイド等）を移動させる。
【０１１１】
（６）インキプリセット装置１３で、全印刷ユニット１０のインキ装置内に基本インキ膜厚分布を作成する（プレインキングＩのステップ１）。
（７）インキプリセット装置１３で、１つ目のジョブの印刷で使用する印刷ユニット１０−１（表面１色目）のインキ装置内に１つ目のジョブの絵柄に応じたインキ膜厚分布を作成する（プレインキングＩのステップ２）。
【０１１２】
（８）オペレータが試刷りを行いながら、１つ目のジョブの印刷の色合わせ見当調整を行う。
（９）オペレータが印刷開始ボタン（プロダクトスイッチ及び高速スイッチ）ＢＴ１を押して、１つ目のジョブの印刷（本刷り）を行う。
この（８），（９）の印刷では、印刷ユニット１０−１（表面１色目）のみ胴入れを行う。
（１０）正紙カウンタＣＮＴ１のカウント値が１つ目のジョブの印刷枚数と同じになったことにより、１つ目のジョブの印刷を終了する。
（１１）オペレータが、１つ目のジョブで印刷した印刷用紙をデリバリーパイル１２から取除く。
【０１１３】
〔ジョブ２〕
（１２）オペレータが、２つ目のジョブの印刷で使用する印刷用紙をフィーダーパイル１１にセットする。
（１３）紙サイズ・紙厚プリセット装置１４で、２つ目のジョブの印刷で使用する印刷用紙の紙サイズ・紙厚に対応する位置に各装置を移動させる。
（１４）インキプリセット装置１３で、２つ目のジョブの印刷で使用する印刷ユニット１０−２と１０−３（表面２、３色目）のインキ装置内に２つ目のジョブの絵柄に応じたインキ膜厚分布を作成する（プレインキングＩのステップ２）。
【０１１４】
（１５）オペレータが試刷りを行いながら、２つ目のジョブの印刷の色合わせ見当調整を行う。
（１６）オペレータが印刷開始ボタン（プロダクトスイッチ及び高速スイッチ）ＢＴ１を押して、２つ目のジョブの印刷（本刷り）を行う。
この（１５），（１６）の印刷では、印刷ユニット１０−２と１０−３（表面２、３色目）のみ胴入れを行う。
（１７）正紙カウンタＣＮＴ１のカウント値が２つ目のジョブの印刷枚数と同じになったことにより、２つ目のジョブの印刷を終了する。
（１８）オペレータが、２つ目のジョブで印刷した印刷用紙をデリバリーパイル１２から取除く。
【０１１５】
〔ジョブ３〕
（１９）オペレータが、３つ目のジョブの印刷で使用する印刷用紙をフィーダーパイル１１にセットする。
（２０）紙サイズ・紙厚プリセット装置１４で、３つ目のジョブの印刷で使用する印刷用紙の紙サイズ・紙厚に対応する位置に各装置を移動させる。
（２１）インキプリセット装置１３で、３つ目のジョブの印刷で使用する印刷ユニット１０−４と１０−８（表裏面４色目）のインキ装置内に３つ目のジョブの絵柄に応じたインキ膜厚分布を作成する（プレインキングＩのステップ２）。
【０１１６】
（２２）オペレータが試刷りを行いながら、３つ目のジョブの印刷の色合わせ見当調整を行う。
（２３）オペレータが印刷開始ボタン（プロダクトスイッチ及び高速スイッチ）ＢＴ１を押して、３つ目のジョブの印刷（本刷り）を行う。
この（２２），（２３）の印刷では、印刷ユニット１０−４と１０−８（表裏面４色目）のみ胴入れを行う。
（２４）正紙カウンタＣＮＴ１のカウント値が３つ目のジョブの印刷枚数と同じになったことにより、３つ目のジョブの印刷を終了する。
（２５）オペレータが、３つ目のジョブで印刷した印刷用紙をデリバリーパイル１２から取除く。
【０１１７】
〔ジョブ４〕
（２６）オペレータが、４つ目のジョブの印刷で使用する印刷用紙をフィーダーパイル１１にセットする。
（２７）紙サイズ・紙厚プリセット装置１４で、４つ目のジョブの印刷で使用する印刷用紙の紙サイズ・紙厚に対応する位置に各装置を移動させる。
（２８）インキプリセット装置１３で、４つ目のジョブの印刷で使用する印刷ユニット１０−５（裏面１色目）のインキ装置内に４つ目のジョブの絵柄に応じたインキ膜厚分布を作成する（プレインキングＩのステップ２）。
【０１１８】
（２９）オペレータが試刷りを行いながら、４つ目のジョブの印刷の色合わせ見当調整を行う。
（３０）オペレータが印刷開始ボタン（プロダクトスイッチ及び高速スイッチ）ＢＴ１を押して、４つ目のジョブの印刷（本刷り）を行う。
この（２９），（３０）の印刷では、印刷ユニット１０−５（裏面１色目）のみ胴入れを行う。
（３１）正紙カウンタＣＮＴ１のカウント値が４つ目のジョブの印刷枚数と同じになったことにより、４つ目のジョブの印刷を終了する。
（３２）オペレータが、４つ目のジョブで印刷した印刷用紙をデリバリーパイル１２から取除く。
【０１１９】
〔ジョブ５〕
（３３）オペレータが、５つ目のジョブの印刷で使用する印刷用紙をフィーダーパイル１１にセットする。
（３４）紙サイズ・紙厚プリセット装置１４で、５つ目のジョブの印刷で使用する印刷用紙の紙サイズ・紙厚に対応する位置に各装置を移動させる。
（３５）インキプリセット装置１３で、５つ目のジョブの印刷で使用する印刷ユニット１０−６と１０−７（裏面２、３色目）のインキ装置内に５つ目のジョブの絵柄に応じたインキ膜厚分布を作成する（プレインキングＩのステップ２）。
【０１２０】
（３６）オペレータが試刷りを行いながら、５つ目のジョブの印刷の色合わせ見当調整を行う。
（３７）オペレータが印刷開始ボタン（プロダクトスイッチ及び高速スイッチ）ＢＴ１を押して、５つ目のジョブの印刷（本刷り）を行う。
この（３６），（３７）の印刷では、印刷ユニット１０−６と１０−７（裏面２、３色目）のみ胴入れを行う。
（３８）オペレータが、次の印刷サイクルで使用する刷版２８’を自動刷版交換装置１５にセットする。
（３９）正紙カウンタＣＮＴ１のカウント値が５つ目のジョブの印刷枚数と同じになったことにより、５つ目のジョブの印刷を終了する。
（４０）オペレータが、５つ目のジョブで印刷した印刷用紙をデリバリーパイル１２から取除く。
【０１２１】
（４１）インキプリセット装置１３で、全印刷ユニット１０のインキリムービングを一度に行う。
（４２）各印刷ユニット１０のブランケット洗浄制御装置１６で、全印刷ユニット１０のブランケット洗浄を一度に行う。
【０１２２】
〔サイクル２〕
（４３）各印刷ユニット１０の前の印刷サイクル（サイクル１）で使用されたインキと次の印刷サイクル（サイクル２）で使用されるインキが異なる場合、オペレータが、インキが異なる印刷ユニット１０のインキを交換する（インキ装置の洗浄及び次の印刷サイクルで使用する色のインキをインキ装置のインキツボに入れる）。
【０１２３】
〔ジョブ１〕
（４４）オペレータが、１つ目のジョブの印刷で使用する印刷用紙をフィーダーパイル１１にセットする。
（４５）自動刷版交換装置１５で、全ユニット１０の前の印刷サイクル（サイクル１）で使用した刷版２８を次の印刷サイクル（サイクル２）で使用する刷版２８’に一度に交換する。
（４６）紙サイズ・紙厚プリセット装置１４で、１つ目のジョブの印刷で使用する印刷用紙の紙サイズ・紙厚に対応する位置に各装置を移動させる。
【０１２４】
（４７）インキプリセット装置１３で、１つ目のジョブの印刷で使用する印刷ユニット１０−１，１０−２，１０−５，１０−６（表裏面１、２色目）のインキ装置内に１つ目のジョブの絵柄に応じたインキ膜厚分布を作成する（プレインキングII）。
【０１２５】
（４８）オペレータが試刷りを行いながら、１つ目のジョブの印刷の色合わせ見当調整を行う。
（４９）オペレータが印刷開始ボタン（プロダクトスイッチ及び高速スイッチ）ＢＴ１を押して、１つ目のジョブの印刷（本刷り）を行う。
この（４８），（４９）の印刷では、印刷ユニット１０−１，１０−２，１０−５，１０−６（表裏面１、２色目）のみ胴入れを行う。
（５０）正紙カウンタＣＮＴ１のカウント値が１つ目のジョブの印刷枚数と同じになったことにより、１つ目のジョブの印刷を終了する。
（５１）オペレータが、１つ目のジョブで印刷した印刷用紙をデリバリーパイル１２から取除く。
【０１２６】
〔ジョブ２〕
（５２）オペレータが、２つ目のジョブの印刷で使用する印刷用紙をフィーダーパイル１１にセットする。
（５３）紙サイズ・紙厚プリセット装置１４で、２つ目のジョブの印刷で使用する印刷用紙の紙サイズ・紙厚に対応する位置に各装置を移動させる。
【０１２７】
（５４）インキプリセット装置１３で、２つ目のジョブの印刷で使用する印刷ユニット１０−３，１０−４，１０−７，１０−８（表裏面３、４色目）のインキ装置内に２つ目のジョブの絵柄に応じたインキ膜厚分布を作成する（プレインキングII）。
【０１２８】
（５５）オペレータが試刷りを行いながら、２つ目のジョブの印刷の色合わせ見当調整を行う。
（５６）オペレータが印刷開始ボタン（プロダクトスイッチ及び高速スイッチ）ＢＴ１を押して、２つ目のジョブの印刷（本刷り）を行う。
この（５５），（５６）の印刷では、印刷ユニット１０−３，１０−４，１０−７，１０−８（表裏面３、４色目）のみ胴入れを行う。
（５７）オペレータが、次の印刷サイクルで使用する刷版２８”を自動刷版交換装置１５にセットする。
（５８）正紙カウンタＣＮＴ１のカウント値が２つ目のジョブの印刷枚数と同じになったことにより、２つ目のジョブの印刷を終了する。
（５９）オペレータが、２つ目のジョブで印刷した印刷用紙をデリバリーパイル１２から取除く。
【０１２９】
（６０）インキプリセット装置１３で、全印刷ユニット１０のインキリムービングを一度に行う。
（６１）各印刷ユニット１０のブランケット洗浄制御装置１６で、全印刷ユニット１０のブランケット洗浄を一度に行う。
（６２）すべての印刷が終了するまで、前記（４３)〜（６１)を繰り返す。
【０１３０】
図８は主制御装置１７の内部構成の概略を示すブロック図である。主制御装置１７は、ＣＰＵ１７Ａ、ＲＡＭ１７Ｂ、ＲＯＭ１７Ｃ、入力装置１７Ｄ、表示器１７Ｅ、出力装置１７Ｆ、入出力インターフェイス（Ｉ／Ｏ，Ｉ／Ｆ）１７Ｇ，１７Ｈ、メモリ１７Ｉを備えており、入出力インターフェイス１７Ｈを介してインキプリセット装置１３、紙サイズ・紙厚プリセット装置１４、自動刷版交換装置１５、ブランケット洗浄制御装置１６および印刷機制御装置１８に接続されている。
【０１３１】
入力装置１７Ｄには、印刷サイクル開始スイッチＳＷ１、データ入力完了スイッチＳＷ２、試刷りスイッチＳＷ３、印刷開始スイッチＳＷ４などが設けられている。メモリ１７Iには、図９および図１０にその内容を分割して示すように、メモリＭ１〜Ｍ３４が設けられる。ＣＰＵ１７Ａは、インターフェイス１７Ｇ，１７Ｈを介して与えられる各種入力情報を得て、ＲＡＭ１７Ｂやメモリ１７Ｉにアクセスしながら、ＲＯＭ１７Ｃに格納されたプログラムに従って動作する。ＲＯＭ１７Ｃには、本実施の形態特有のプログラムとして、複数ジョブの印刷プログラムが格納されている。
【０１３２】
以下、図４９〜図６６に示すフローチャートを用いて、ＣＰＵ１７Ａが実行する複数ジョブの印刷プログラムに従う処理動作について説明する。なお、この例では、１回目のサイクル（サイクル１）で前述した具体例１の印刷（片面単色印刷を１ジョブとし８ジョブを１サイクルとする印刷）を、２回目のサイクル（サイクル２）で前述した具体例２の印刷（両面単色印刷を１ジョブとし４ジョブを１サイクルとする印刷）を行うものとして説明を進める。
【０１３３】
〔データの入力〕
サイクル１を印刷サイクル番号「１」とし、サイクル２を印刷サイクル番号「２」とし、サイクル１，サイクル２で印刷するジョブのジョブ番号（印刷番号）、印刷色、各ブレード開き量（インキツボキーの開き量）を入力する（図４９：ステップ１０１のＹＥＳ）。これにより、メモリＭ１に、図１４に示すような形で、サイクル１で印刷するジョブのジョブ番号と印刷色と各ブレード開き量、サイクル２で印刷するジョブのジョブ番号と印刷色と各ブレード開き量が格納される（ステップ１０２）。なお、印刷色において、「Ｂ」は墨色、「Ｃ」は藍色、「Ｍ」は赤色、「Ｙ」を黄色を示す。また、このデータは、フレキシブルディスク等の記憶媒体を介して提供される。
【０１３４】
次に、サイクル１，サイクル２で印刷する各ジョブについて、印刷枚数、紙サイズ・紙厚データ、使用する印刷ユニット、プレインキングＩのステップ１の呼出し回数、プレインキングＩのステップ２の呼出し回数、プレインキングIIの呼出し回数、インキリムービング枚数などのデータを表示器１７Ｅの画面上から手入力する。
【０１３５】
図１１にその入力画面例を示す。この入力画面Ｇ１には、印刷サイクル番号の入力窓Ｗ１と、ジョブ番号の入力窓Ｗ２と、印刷枚数の入力窓Ｗ３と、紙サイズの入力窓Ｗ４１，Ｗ４２と、紙厚の入力窓Ｗ４３と、使用する印刷ユニットの入力窓Ｗ５１〜Ｗ５８と、プレインキングＩのステップ１の呼出し回数の入力窓Ｗ６１〜Ｗ６８と、プレインキングＩのステップ２の呼出し回数の入力窓Ｗ７１〜Ｗ７８と、プレインキングIIの呼出し回数の入力窓Ｗ８１〜８８と、インキリムービング枚数の入力窓Ｗ９１〜Ｗ９８が設けられている。
【０１３６】
尚、使用する印刷ユニットの入力窓Ｗ５１〜Ｗ５８のうち、入力窓Ｗ５１〜Ｗ５４には表面でその左側に記載されている色を印刷する印刷ユニットの番号を入力し、入力窓Ｗ５５〜Ｗ５８には裏面でその左側に記載されている色を印刷する印刷ユニットの番号を入力する。つまり、印刷ユニット１０−４で表面の墨色（Ｂ）の印刷を行う場合には、入力窓Ｗ５１に印刷ユニット１０−４の番号「４」を入力し、印刷ユニット１０−７で裏面の墨色（Ｂ）の印刷を行う場合には、入力窓Ｗ５５に印刷ユニット１０−７の番号「７」を入力する。そして、プレインキングＩのステップ１の呼出し回数の入力窓Ｗ６１〜Ｗ６８、プレインキングＩのステップ２の呼出し回数の入力窓Ｗ７１〜Ｗ７８、プレインキングIIの呼出し回数の入力窓Ｗ８１〜Ｗ８８およびインキリムービング枚数の入力窓Ｗ９１〜Ｗ９８に入力された値は、その対応する左端の部分の入力窓Ｗ５１〜Ｗ５８の表裏面の別および色と対応付けて記憶される。
【０１３７】
〔サイクル１の各ジョブのデータ入力〕
入力画面Ｇ１において、例えばサイクル１のジョブ１（使用印刷ユニット：表面１色目、印刷色：墨色（Ｂ））のデータを入力する場合、オペレータは図１２に示すように、表示窓Ｗ１に印刷サイクル番号「１」を、表示窓Ｗ２にジョブ番号「１」を入力し、表示窓Ｗ３にサイクル１のジョブ１で印刷する印刷用紙の枚数Ｎ１を、表示窓Ｗ４１，Ｗ４２およびＷ４３にサイクル１のジョブ１で使用する印刷用紙の縦寸法ＤＡ１，横寸法ＤＢ１および紙厚ＤＣ１を、表示窓Ｗ５１にサイクル１のジョブ１で使用する印刷ユニットの番号「１」を、表示窓Ｗ６１にサイクル１のジョブ１で行う使用印刷ユニットでのプレインキングＩのステップ１の呼出し回数ＮＡ１を、表示窓Ｗ７１にサイクル１のジョブ１で行う使用印刷ユニットでのプレインキングＩのステップ２の呼出し回数ＮＢ１を、表示窓Ｗ９１にサイクル１のジョブ１で行う使用印刷ユニットでのインキリムービング枚数ＮＲ１を設定する。
【０１３８】
なお、この例では、表面１色目の印刷ユニット１０−１の番号を「１」、表面２色目の印刷ユニット１０−２の番号を「２」、表面３色目の印刷ユニット１０−３の番号を「３」、表面４色目の印刷ユニット１０−４の番号を「４」、裏面１色目の印刷ユニット１０−５の番号を「５」、裏面２色目の印刷ユニット１０−６の番号を「６」、裏面３色目の印刷ユニット１０−７の番号を「７」、裏面４色目の印刷ユニット１０−８の番号を「８」とする。また、印刷ユニット１０−１，１０−５での印刷色を墨色（Ｂ）、印刷ユニット１０−２，１０−６での印刷色を藍色（Ｍ）、印刷ユニット１０−３，１０−７での印刷色を赤色（Ｍ）、印刷ユニット１０−４，１０−８での印刷色を黄色（Ｙ）とする。
【０１３９】
以下、同様にして、サイクル１のジョブ２（使用印刷ユニット：表面２色目、印刷色：藍色（Ｃ））、ジョブ３（使用印刷ユニット：表面３色目、印刷色：赤色（Ｒ））、ジョブ４（使用印刷ユニット：表面４色目、印刷色：黄色（Ｙ））、ジョブ５（使用印刷ユニット：裏面１色目、印刷色：墨色（Ｂ））、ジョブ６（使用印刷ユニット：裏面２色目、印刷色：藍色（Ｃ））、ジョブ７（使用印刷ユニット：裏面３色目、印刷色：赤色（Ｒ））、ジョブ８（使用印刷ユニット：裏面４色目、印刷色：黄色（Ｙ））のデータを設定する。
【０１４０】
〔サイクル２の各ジョブのデータ入力〕
入力画面Ｇ１において、例えばサイクル２のジョブ１（使用印刷ユニット：表面１色目，裏面１色目、印刷色：表面墨色（Ｂ），裏面墨色（Ｂ））のデータを入力する場合、オペレータは図１３に示すように、表示窓Ｗ１に印刷サイクル番号「２」を、表示窓Ｗ２にジョブ番号「１」入力し、表示窓Ｗ３にサイクル２のジョブ１で印刷する印刷用紙の枚数Ｎ１を、表示窓Ｗ４１，Ｗ４２およびＷ４３にサイクル２のジョブ１で使用する印刷用紙の縦寸法ＤＡ１，横寸法ＤＢ１および紙厚ＤＣ１を、表示窓Ｗ５１にサイクル１のジョブ１で使用する１つ目の印刷ユニットの番号「１」を、表示窓Ｗ５５にサイクル２のジョブ１で使用する２つ目の印刷ユニットの番号「５」を、表示窓Ｗ８１にサイクル１のジョブ１で行う１つ目の使用印刷ユニットでのプレインキングIIの呼出し回数ＮＣ１を、表示窓Ｗ８５にサイクル１のジョブ１で行う２つ目の使用印刷ユニットでのプレインキングIIの呼出し回数ＮＣ５を、表示窓Ｗ９１にサイクル１のジョブ１で行う１つ目の使用印刷ユニットでのインキリムービング枚数ＮＲ１を、表示窓Ｗ９５にサイクル１のジョブ１で行う２つ目の使用印刷ユニットでのインキリムービング枚数ＮＲ５を設定する。
【０１４１】
以下、同様にして、サイクル２のジョブ２（使用印刷ユニット：表面２色目，裏面２色目、印刷色：表面藍色（Ｃ），裏面藍色（Ｃ））、ジョブ３（使用印刷ユニット：表面３色目，裏面３色目、印刷色：表面赤色（Ｒ），裏面赤色（Ｒ））、 ジョブ４（使用印刷ユニット：表面４色目，裏面４色目、印刷色：表面黄色（Ｙ），裏面黄色（Ｙ））のデータを設定する。
【０１４２】
表示窓Ｗ１から入力された印刷サイクル番号はメモリＭ２に書き込まれる（ステップ１０３，１０４）。表示窓Ｗ２から入力されたジョブ番号はメモリＭ３に書き込まれる（ステップ１０５，１０６）。表示窓Ｗ５１〜Ｗ５８から入力された印刷ユニット番号は印刷色と対応づけてメモリＭ４に書き込まれる（ステップ１０７，１０８）。表示窓Ｗ３から入力された印刷枚数はメモリＭ５に書き込まれる（ステップ１０９，１１０）。表示窓Ｗ４１〜Ｗ４３から入力された紙サイズ・紙厚データはメモリＭ６に書き込まれる（図５０：ステップ１１１，１１２）。
【０１４３】
表示窓Ｗ６１〜Ｗ６８から入力されたプレインキングＩのステップ１の呼出し回数は印刷色と対応づけてメモリＭ７に書き込まれる（ステップ１１３，１１４）。表示窓Ｗ７１〜Ｗ７８から入力されたプレインキングＩのステップ２の呼出し回数は印刷色と対応づけてメモリＭ８に書き込まれる（ステップ１１５，１１６）。表示窓Ｗ８１〜Ｗ８８から入力されたプレインキングIIの呼出し回数は印刷色と対応づけてメモリＭ９に書き込まれる（ステップ１１７，１１８）。表示窓Ｗ９１〜Ｗ９８から入力されたインキリムービング枚数は印刷色と対応づけてメモリＭ１０に書き込まれる（ステップ１１９，１２０）。
【０１４４】
〔入力データの保存〕
サイクル１，サイクル２で印刷する各ジョブについて、印刷枚数、紙サイズ・紙厚データ、使用する印刷ユニット、プレインキングＩのステップ１の呼出し回数、プレインキングＩのステップ２の呼出し回数、プレインキングIIの呼出し回数、インキリムービング枚数などのデータの入力が完了すると、オペレータはデータ入力完了スイッチSＷ２をオンとする（図５１：ステップ１２１のＹＥＳ）。
【０１４５】
すると、ＣＰＵ１７Ａは、メモリＭ２およびメモリＭ３より印刷サイクル番号およびジョブ番号を読み出し、印刷サイクル番号とジョブ番号とを対応づけてメモリＭ１１に保存する（ステップ１２２、図１５参照）。
【０１４６】
また、メモリＭ４より印刷色と使用する印刷ユニット番号を読み出し、印刷サイクル番号、ジョブ番号、印刷色、使用する印刷ユニット番号を対応づけてメモリＭ１２に保存する（ステップ１２３、図１６参照）。
また、メモリＭ５より印刷枚数を読み出し、印刷サイクル番号、ジョブ番号、印刷枚数を対応づけてメモリＭ１３に保存する（ステップ１２４、図１７参照）。
【０１４７】
また、メモリＭ６より紙サイズ・紙厚データを読み出し、印刷サイクル番号、ジョブ番号、紙サイズ・紙厚データを対応づけてメモリＭ１４に保存する（ステップ１２５、図１８参照）
また、メモリＭ７より印刷色とプレインキングＩのステップ１の呼出し回数を読み出し、印刷サイクル番号、ジョブ番号、印刷色、プレインキングＩのステップ１の呼出し回数を対応づけてメモリＭ１５に保存する（ステップ１２６、図１９参照）。
【０１４８】
また、メモリＭ８より印刷色とプレインキングＩのステップ２の呼出し回数を読み出し、印刷サイクル番号、ジョブ番号、印刷色、プレインキングＩのステップ２の呼出し回数を対応づけてメモリＭ１６に保存する（ステップ１２７、図２０参照）。
また、メモリＭ９より印刷色とプレインキングIIの呼出し回数を読み出し、印刷サイクル番号、ジョブ番号、印刷色、プレインキングIIの呼出し回数を対応づけてメモリＭ１７に保存する（ステップ１２８、図２１参照）。
また、メモリＭ１０より印刷色とインキリムービング枚数を読み出し、印刷サイクル番号、ジョブ番号、印刷色、インキリムービング枚数を対応づけてメモリＭ１８に保存する（ステップ１２９、図２２参照）。
【０１４９】
〔印刷サイクルの開始〕
〔サイクル１〕
このようにしてサイクル１，サイクル２の必要データを入力した後、オペレータは、印刷サイクル開始スイッチＳＷ１をオンとする（図４９：ステップ１００のＹＥＳ）。すると、ＣＰＵ１７Ａは、メモリＭ１１（図１５）より、最も小さい印刷サイクル番号の印刷サイクル番号と全てのジョブ番号を読み出し、今回の印刷サイクル番号および今回の印刷サイクルのジョブ番号としてメモリＭ１９に書き込む（図５２：ステップ１３０）。この例では、図２３に示すように、今回の印刷サイクル番号として印刷サイクル番号「１」が、今回の印刷サイクルのジョブ番号として「１」〜「８」がメモリＭ１９に書き込まれる。
【０１５０】
また、ＣＰＵ１７Ａは、メモリＭ１２（図１６）より、その印刷サイクル番号が今回の印刷サイクル番号と同じ印刷サイクル番号のジョブ番号および印刷色と使用する印刷ユニット番号を読み出し、今回の印刷サイクルのジョブ番号および印刷色と使用する印刷ユニット番号としてメモリＭ２０に書き込む（ステップ１３１）。
【０１５１】
この例では、図２４に示すように、今回の印刷サイクル番号として「１」が、今回の印刷サイクルのジョブ番号として「１」〜「８」が、ジョブ番号「１」，「２」，「３」，「４」に対応して印刷色「Ｂ」，「Ｃ」，「Ｍ」，「Ｙ」が、ジョブ番号「５」，「６」，「７」，「８」に対応して印刷色「Ｂ」，「Ｃ」，「Ｍ」，「Ｙ」が、ジョブ番号「１」〜「８」に対応して使用する印刷ユニット番号「１」〜「８」がメモリＭ２０に書き込まれる。
【０１５２】
〔ジョブ１〕
ＣＰＵ１７Ａは、メモリＭ１９（図２３）より、最も小さいジョブ番号の印刷サイクル番号およびジョブ番号を読み出し、今回の印刷サイクル番号および今回のジョブ番号としてメモリＭ２１に書き込む（ステップ１３２）。この例では、図２５（ａ）に示すように、今回の印刷サイクル番号として印刷サイクル番号「１」が、今回のジョブ番号としてジョブ番号「１」がメモリＭ２１に書き込まれる。
【０１５３】
また、ＣＰＵ１７Ａは、メモリＭ１２（図１６）より、その印刷サイクル番号およびジョブ番号が今回の印刷サイクル番号および今回のジョブ番号と同じ印刷色と使用する印刷ユニット番号を読み出し、今回のジョブの印刷に使用する印刷色および印刷ユニット番号としてメモリＭ２２に書き込む（ステップ１３３）。この例では、図２６（ａ）に示すように、今回のジョブの印刷に使用する印刷ユニット番号として印刷ユニット番号「１」が、今回のジョブの印刷に使用する印刷色として印刷色「Ｂ」がメモリＭ２２に書き込まれる。
【０１５４】
〔刷版の装着、今回のジョブ（ジョブ１）の紙サイズ・紙厚のプリセット〕
次に、ＣＰＵ１７Ａは、自動刷版交換装置１５に、全ての印刷ユニット１０への刷版装着指令信号を送信する（ステップ１３４）。全ての印刷ユニット１０において刷版の装着が完了し、自動刷版交換装置１５から刷版装着完了信号が送られてくると（ステップ１３５のＹＥＳ）、ＣＰＵ１７Ａは、メモリＭ１４（図１８）より、その印刷サイクル番号およびジョブ番号が今回の印刷サイクル番号および今回のジョブ番号と同じ紙サイズ・紙厚データを読み出し、今回のジョブの紙サイズ・紙厚データとしてメモリＭ２３に書き込む（ステップ１３６）。この例では、図２７（ａ）に示すように、印刷サイクル番号「１」のジョブ番号「１」の紙サイズ・紙厚データ「Ｄ１Ａ，Ｄ１Ｂ，Ｄ１Ｃ」が今回のジョブの紙サイズ・紙厚データとしてメモリＭ２３に書き込まれる。
【０１５５】
そして、ＣＰＵ１７Ａは、メモリＭ２３から今回のジョブの紙サイズ・紙厚データを読み出し、紙サイズ・紙厚プリセット装置１４へ送信する（ステップ１３７）。これを受けて、紙サイズ・紙厚プリセット装置１４は、今回のジョブ（サイクル１のジョブ１）の紙サイズ・紙厚に対応する位置に各装置（サッカー、フィーダー部の紙ガイドエア吹き、横針、ゴム胴圧胴間の隙間量、吸引車、横寄せ、デリバリー部の紙ガイド等）を移動させる。
【０１５６】
紙サイズ・紙厚プリセット装置１４からプリセット完了信号が送られてくると（ステップ１３８のＹＥＳ）、ＣＰＵ１７Ａは、メモリＭ１８（図２２）より、その印刷サイクル番号が今回の印刷サイクル番号と同じ印刷サイクル番号のジョブ番号および印刷色とインキリムービング枚数を読み出し、メモリＭ２４に書き込む（図５３：ステップ１３９）。
【０１５７】
この例では、図２８に示すように、今回の印刷サイクル番号として印刷サイクル番号「１」が、今回の印刷サイクルのジョブ番号として「１」〜「８」が、ジョブ番号「１」，「２」，「３」，「４」に対応する印刷色として「Ｂ」，「Ｃ」，「Ｍ」，「Ｙ」が、ジョブ番号「５」，「６」，「７」，「８」に対応する印刷色として「Ｂ」，「Ｃ」，「Ｍ」，「Ｙ」が、ジョブ番号「１」〜「８」に対応するインキリムービング枚数として「ＮＲ１」〜「ＮＲ８」がメモリＭ２４に書き込まれる。
【０１５８】
そして、ＣＰＵ１７Ａは、メモリＭ２０（図２４）より今回の印刷サイクルのジョブ番号および印刷色と使用する印刷ユニット番号を読み出し（ステップ１４０）、メモリＭ２０とメモリＭ２４（図２８）における同じジョブ番号および印刷色の使用する印刷ユニット番号とインキリムービング枚数とを対応づけ、今回の印刷サイクルで使用する印刷ユニット番号とインキリムービング枚数との対応関係としてメモリＭ２５に書き込む（ステップ１４１）。
【０１５９】
この例では、図２９に示すように、今回の印刷サイクルとして印刷サイクル番号「１」が、今回の印刷サイクルで使用する印刷ユニット番号として印刷ユニット番号「１」〜「８」が、印刷ユニット番号「１」〜「８」に対応するインキリムービング枚数として「ＮＲ１」〜「ＮＲ８」がメモリＭ２５に書き込まれる。
【０１６０】
次に、ＣＰＵ１７Ａは、メモリＭ１５（図１９）より、その印刷サイクル番号が今回の印刷サイクル番号と同じ印刷サイクル番号のジョブ番号および印刷色とプレインキングＩのステップ１の呼出し回数を読み出し、メモリＭ２６に書き込む（ステップ１４２）。
【０１６１】
この例では、図３０に示すように、今回の印刷サイクル番号として印刷サイクル番号「１」が、今回の印刷サイクルのジョブ番号として「１」〜「８」が、ジョブ番号「１」，「２」，「３」，「４」に対応して印刷色「Ｂ」，「Ｃ」，「Ｍ」，「Ｙ」が、ジョブ番号「５」，「６」，「７」，「８」に対応して印刷色「Ｂ」，「Ｃ」，「Ｍ」，「Ｙ」が、ジョブ番号「１」〜「８」に対応してプレインキングＩのステップ１の呼出し回数「ＮＡ１」〜「ＮＡ８」がメモリＭ２６に書き込まれる。
【０１６２】
そして、ＣＰＵ１７Ａは、メモリＭ２０（図２４）より今回の印刷サイクルのジョブ番号および印刷色と使用する印刷ユニット番号を読み出し（ステップ１４３）、メモリＭ２０とメモリＭ２６（図３０）における同じジョブ番号および印刷色の使用する印刷ユニット番号とプレインキングＩのステップ１の呼出し回数とを対応づけ、今回の印刷サイクルで使用する印刷ユニット番号と印刷色とプレインキングＩのステップ１の呼出し回数との対応関係としてメモリＭ２７に書き込む（ステップ１４４）。
【０１６３】
この例では、図３１に示すように、今回の印刷サイクルとして印刷サイクル番号「１」が、今回の印刷サイクルで使用する印刷ユニット番号として「１」〜「８」が、印刷ユニット番号「１」，「２」，「３」，「４」に対応する印刷色として「Ｂ」，「Ｃ」，「Ｍ」，「Ｙ」が、  印刷ユニット番号「５」，「６」，「７」，「８」に対応する印刷色として「Ｂ」，「Ｃ」，「Ｍ」，「Ｙ」が、印刷ユニット番号「１」〜「８」に対応するプレインキングＩのステップ１の呼出し回数として「ＮＡ１」〜「ＮＡ８」がメモリＭ２７に書き込まれる。
【０１６４】
〔今回の印刷サイクル（サイクル１）で使用する全ての印刷ユニットを対象とする基本インキ膜厚分布の作成〕
次に、ＣＰＵ１７Ａは、メモリＭ２７（図３１）から今回の印刷サイクルで使用する全ての印刷ユニット番号と印刷色とプレインキングＩのステップ１の呼出し回数を読み出し、インキプリセット装置１３に送信する（ステップ１４５）。これを受けて、インキプリセット装置１３は、後述するようにプレインキングＩのステップ１を行って、今回の印刷サイクルで使用する全ての印刷ユニット１０のインキ装置内に基本インキ膜厚分布を作成する。この例では、印刷ユニット１０−１〜１０−８のインキ装置内に、基本インキ膜厚分布が作成される。
【０１６５】
〔今回のジョブ（ジョブ１）の印刷で使用する全ての印刷ユニットを対象とする絵柄に応じたインキ膜厚分布の作成〕
インキプリセット装置１３からプレインキングＩのステップ１の完了信号が送られてくると（ステップ１４６のＹＥＳ）、ＣＰＵ１７Ａは、メモリＭ１（図１４）より、その印刷サイクル番号およびジョブ番号が今回の印刷サイクル番号および今回のジョブ番号と同じ印刷色と各ブレードの開き量を読み出し、メモリＭ２８に書き込む（図５４：ステップ１４７）。この例では、図３２（ａ）に示すように、印刷色として「Ｂ」が、各ブレードの開き量として「Ｄ１１〜Ｄ１ｎ」がメモリＭ２８に書き込まれる。
【０１６６】
そして、ＣＰＵ１７Ａは、メモリＭ２２（図２６（ａ））より今回のジョブの印刷に使用する印刷ユニット番号と印刷色を読み出し（ステップ１４８）、メモリＭ２２とメモリＭ２８における同じ印刷色の使用する印刷ユニット番号と各ブレードの開き量とを対応づけ、今回のジョブの印刷で使用する印刷ユニット番号と印刷色と各ブレードの開き量との対応関係としてメモリＭ２９に書き込む（ステップ１４９）。この例では、図３３（ａ）に示すように、使用する印刷ユニット番号として「１」が、印刷色として「Ｂ」が、各ブレードの開き量として「Ｄ１１〜Ｄ１ｎ」がメモリＭ２９に書き込まれる。
【０１６７】
次に、ＣＰＵ１７Ａは、メモリＭ１６（図２０）より、その印刷サイクル番号およびジョブ番号が今回の印刷サイクル番号および今回のジョブ番号と同じ印刷色とプレインキングＩのステップ２の呼出し回数を読み出し、メモリＭ３０に書き込む（ステップ１５０）。この例では、図３４（ａ）に示すように、印刷色として「Ｂ」が、プレインキングＩのステップ２の呼出し回数として「ＮＢ１」がメモリＭ３０に書き込まれる。
【０１６８】
そして、ＣＰＵ１７Ａは、メモリＭ２２（図２６（ａ））より今回のジョブの印刷に使用する印刷ユニット番号と印刷色を読み出し（ステップ１５１）、メモリＭ２２とメモリＭ３０における同じ印刷色の使用する印刷ユニット番号とプレインキングＩのステップ２の呼出し回数とを対応づけ、今回のジョブの印刷で使用する印刷ユニット番号と印刷色とプレインキングＩのステップ２の呼出し回数との対応関係としてメモリＭ３１に書き込む（ステップ１５２）。この例では、図３５（ａ）に示すように、使用する印刷ユニット番号として「１」が、印刷色として「Ｂ」が、プレインキングＩのステップ２の呼出し回数として「ＮＢ１」がメモリＭ３１に書き込まれる。
【０１６９】
そして、ＣＰＵ１７Ａは、メモリＭ２９（図３３（ａ））から今回のジョブの印刷で使用する印刷ユニット番号と印刷色と各ブレードの開き量を読み出し、メモリＭ３１（図３５（ａ））から今回のジョブの印刷で使用する印刷ユニット番号と印刷色とプレインキングＩのステップ２の呼出し回数を読み出し、インキプリセット装置１３に送信する（ステップ１５３）。これを受けて、インキプリセット装置１３は、後述するようにプレインキングＩのステップ２を行い、今回のジョブの印刷で使用する全ての印刷ユニット１０のインキ装置内に、その印刷ユニット１０に装着された刷版２８の絵柄に応じたインキ膜厚分布を形成する。この例では、印刷ユニット１０−１のインキ装置内に、印刷ユニット１０−１に装着された刷版２８の絵柄に応じたインキ膜厚分布が作成される。
【０１７０】
〔印刷〕
インキプリセット装置１３からプレインキングＩのステップ２の完了信号が送られてくると（ステップ１５４のＹＥＳ）、ＣＰＵ１７Ａは、オペレータからの試刷りスイッチＳＷ３あるいは印刷開始スイッチＳＷ４の入力操作を待つ（図５５：ステップ１５５、１５９）。
【０１７１】
〔試刷り〕
試刷りスイッチＳＷ３がオンとされると（ステップ１５５のＹＥＳ）、ＣＰＵ１７Ａは、メモリＭ２２（図２６（ａ））より今回のジョブの印刷に使用する印刷ユニット番号と印刷色を読み出し（ステップ１５６）、この読み出した印刷ユニット番号および印刷色と試刷り開始信号を印刷機制御装置１８へ送る（ステップ１５７）。これを受けて、印刷機制御装置１８は、印刷ユニット１０−１のみ胴入れを行って、ジョブ１の印刷の試刷りを行う。
【０１７２】
〔本刷り〕
印刷開始スイッチＳＷ４がオンとされると（ステップ１５９のＹＥＳ）、ＣＰＵ１７Ａは、メモリＭ２２（図２６（ａ））より今回のジョブの印刷に使用する印刷ユニット番号と印刷色を読み出す（ステップ１６０）。また、メモリＭ２１（図２５（ａ））より今回の印刷サイクル番号および今回のジョブ番号を読み出す（ステップ１６１）。そして、メモリＭ１３（図１７）より、その印刷サイクル番号およびジョブ番号が今回の印刷サイクル番号および今回のジョブ番号と同じ印刷枚数を読み出し、今回のジョブの印刷枚数としてメモリＭ３２に書き込む（ステップ１６２）。この例では、印刷サイクル番号「１」のジョブ番号「１」の印刷枚数Ｎ１がメモリＭ１３より読み出され、今回のジョブの印刷枚数としてメモリＭ３２に書き込まれる。
【０１７３】
そして、ＣＰＵ１７Ａは、今回のジョブの印刷枚数と今回のジョブの印刷に使用する印刷ユニット番号と印刷色を印刷機制御装置１８へ送る（ステップ１６３）。これを受けて、印刷機制御装置１８は、印刷ユニット１０−１のみ胴入れを行って、ジョブ１の印刷の本刷りを行う。
【０１７４】
ジョブ１の印刷の本刷りが終了し、印刷機制御装置１８からの印刷完了信号を受信すると（ステップ１６４のＹＥＳ）、ＣＰＵ１７Ａは、メモリＭ２１（図２５（ａ））より今回の印刷サイクル番号および今回のジョブ番号を読み出し（ステップ１６５）、メモリＭ１９（図２３）より今回の印刷サイクル番号および今回のジョブ番号の対を削除する（ステップ１６６）。この例では、図３６（ａ）に示すように、印刷サイクル番号「１」とジョブ番号「１」の対が削除される。
【０１７５】
〔ジョブ２〕
そして、ＣＰＵ１７Ａは、メモリＭ１９にデータが残っているか否かをチェックする（ステップ１６７）。この場合、データが残っているので、ステップ１６７のＹＥＳに応じてステップ１６８（図５７）へ進み、メモリＭ１９より最も小さいジョブ番号の印刷サイクル番号およびジョブ番号を読み出し、今回の印刷サイクル番号および今回のジョブ番号としてメモリＭ２１に書き込む。この例では、図２５（ｂ）に示すように、今回の印刷サイクル番号として印刷サイクル番号「１」が、今回のジョブ番号としてジョブ番号「２」がメモリＭ２１に書き込まれる。
【０１７６】
また、ＣＰＵ１７Ａは、メモリＭ１２（図１６）より、その印刷サイクル番号およびジョブ番号が今回の印刷サイクル番号および今回のジョブ番号と同じ印刷色と使用する印刷ユニット番号を読み出し、今回のジョブの印刷に使用する印刷ユニット番号および印刷色としてメモリＭ２２に書き込む（ステップ１６９）。この例では、図２６（ｂ）に示すように、今回のジョブの印刷に使用する印刷ユニット番号として「２」が、印刷色として「Ｃ」がメモリＭ２２に書き込まれる。
【０１７７】
〔今回のジョブ（ジョブ２）の紙サイズ・紙厚のプリセット〕
次に、ＣＰＵ１７Ａは、メモリＭ１４（図１８）より、その印刷サイクル番号およびジョブ番号が今回の印刷サイクル番号および今回のジョブ番号と同じ紙サイズ・紙厚データを読み出し、今回のジョブの紙サイズ・紙厚データとしてメモリＭ２３に書き込む（ステップ１７０）。この例では、図２７（ｂ）に示すように、今回のジョブの紙サイズ・紙厚データとして、印刷サイクル番号「１」のジョブ番号「２」の紙サイズ・紙厚データ「Ｄ２Ａ，Ｄ２Ｂ，Ｄ２Ｃ」がメモリＭ２３に書き込まれる。
【０１７８】
そして、ＣＰＵ１７Ａは、メモリＭ２３から今回のジョブの紙サイズ・紙厚データを読み出し、紙サイズ・紙厚プリセット装置１４へ送信する（ステップ１７１）。これを受けて、紙サイズ・紙厚プリセット装置１４は、今回のジョブの紙サイズ・紙厚に対応する位置に各装置を移動させる。
【０１７９】
〔今回のジョブ（ジョブ２）の印刷で使用する全ての印刷ユニットを対象とする絵柄に応じたインキ膜厚分布の作成〕
紙サイズ・紙厚プリセット装置１４からプリセット完了信号が送られてくると（ステップ１７２のＹＥＳ）、ＣＰＵ１７Ａは、メモリＭ１（図１４）より、その印刷サイクル番号およびジョブ番号が今回の印刷サイクル番号および今回のジョブ番号と同じ印刷色と各ブレードの開き量を読み出し、メモリＭ２８に書き込む（ステップ１７３）。この例では、図３２（ｂ）に示すように、印刷色として「Ｃ」が、各ブレードの開き量として「Ｄ２１〜Ｄ２ｎ」がメモリＭ２８に書き込まれる。
【０１８０】
そして、ＣＰＵ１７Ａは、メモリＭ２２（図２６（ｂ））より、今回のジョブの印刷に使用する印刷ユニット番号と印刷色を読み出し（ステップ１７４）、メモリＭ２２とメモリＭ２８（図３２（ｂ））における同じ印刷色の使用する印刷ユニット番号と各ブレードの開き量とを対応づけ、今回のジョブの印刷で使用する印刷ユニット番号と印刷色と各ブレードの開き量との対応関係としてメモリＭ２９に書き込む（ステップ１７５）。この例では、図３３（ｂ）に示すように、使用する印刷ユニット番号として「２」が、印刷色として「Ｃ」が、各ブレードの開き量として「Ｄ２１〜Ｄ２ｎ」がメモリＭ２９に書き込まれる。
【０１８１】
次に、ＣＰＵ１７Ａは、メモリＭ１６（図２０）より、その印刷サイクル番号およびジョブ番号が今回の印刷サイクル番号および今回のジョブ番号と同じ印刷色とプレインキングＩのステップ２の呼出し回数を読み出し、メモリＭ３０に書き込む（ステップ１７６）。この例では、図３４（ｂ）に示すように、印刷色として「Ｃ」が、プレインキングＩのステップ２の呼出し回数として「ＮＢ２」がメモリＭ３０に書き込まれる。
【０１８２】
そして、ＣＰＵ１７Ａは、メモリＭ２２（図２６（ｂ））より、今回のジョブの印刷に使用する印刷ユニット番号と印刷色を読み出し（ステップ１７７）、メモリＭ２２とメモリＭ３０（図３４（ｂ））における同じ印刷色の使用する印刷ユニット番号とプレインキングＩのステップ２の呼出し回数とを対応づけ、今回のジョブの印刷で使用する印刷ユニット番号と印刷色とプレインキングＩのステップ２の呼出し回数との対応関係としてメモリＭ３１に書き込む（ステップ１７８）。この例では、図３５（ｂ）に示すように、使用する印刷ユニット番号として「２」が、印刷色として「Ｃ」が、プレインキングＩのステップ２の呼出し回数として「ＮＢ２」がメモリＭ３１に書き込まれる。
【０１８３】
そして、ＣＰＵ１７Ａは、メモリＭ２９（図３３（ｂ））から今回のジョブの印刷で使用する印刷ユニット番号と印刷色と各ブレードの開き量を読み出し、メモリＭ３１（図３５（ｂ））から今回のジョブの印刷で使用する印刷ユニット番号と印刷色とプレインキングＩのステップ２の呼出し回数を読み出し、インキプリセット装置１３に送信する（ステップ１７９）。
【０１８４】
これを受けて、インキプリセット装置１３は、後述するようにプレインキングＩのステップ２を行い、今回のジョブの印刷で使用する全ての印刷ユニット１０のインキ装置内に、その印刷ユニット１０に装着された刷版２８の絵柄に応じたインキ膜厚分布を形成する。この例では、印刷ユニット１０−２のインキ装置内に、印刷ユニット１０−２に装着された刷版２８の絵柄に応じたインキ膜厚分布が作成される。
【０１８５】
〔印刷〕
インキプリセット装置１３からプレインキングＩのステップ２の完了信号が送られてくると（ステップ１８０のＹＥＳ）、ＣＰＵ１７Ａは、オペレータからの試刷りスイッチＳＷ３あるいは印刷開始スイッチＳＷ４の入力操作を待つ（図５８：ステップ１８１、１８５）。
【０１８６】
〔試刷り〕
試刷りスイッチＳＷ３がオンとされると（ステップ１８１のＹＥＳ）、ＣＰＵ１７Ａは、メモリＭ２２（図２６（ｂ））より今回のジョブの印刷に使用する印刷ユニット番号と印刷色を読み出し（ステップ１８２）、この読み出した印刷ユニット番号および印刷色と試刷り開始信号を印刷機制御装置１８へ送る（ステップ１８３）。これを受けて、印刷機制御装置１８は、印刷ユニット１０−２のみ胴入れを行って、ジョブ２の印刷の試刷りを行う。
【０１８７】
〔本刷り〕
印刷開始スイッチＳＷ４がオンとされると（ステップ１８５のＹＥＳ）、ＣＰＵ１７Ａは、メモリＭ２２（図２６（ｂ））より今回のジョブの印刷に使用する印刷ユニット番号と印刷色を読み出す（ステップ１８６）。また、メモリＭ２１（図２５（ｂ））より今回の印刷サイクル番号および今回のジョブ番号を読み出す（ステップ１８７）。そして、メモリＭ１３（図１７）より、その印刷サイクル番号およびジョブ番号が今回の印刷サイクル番号および今回のジョブ番号と同じ印刷枚数を読み出し、今回のジョブの印刷枚数としてメモリＭ３２に書き込む（ステップ１８８）。この例では、印刷サイクル番号「１」のジョブ番号「２」の印刷枚数Ｎ２がメモリＭ１３より読み出され、今回のジョブの印刷枚数としてメモリＭ３２に書き込まれる。
【０１８８】
そして、ＣＰＵ１７Ａは、今回のジョブの印刷枚数と今回のジョブの印刷に使用する印刷ユニット番号と印刷色を印刷機制御装置１８へ送る（ステップ１８９）。これを受けて、印刷機制御装置１８は、印刷ユニット１０−２のみ胴入れを行って、ジョブ２の印刷の本刷りを行う。
【０１８９】
ジョブ２の印刷が終了し、印刷機制御装置１８からの印刷完了信号を受信すると（ステップ１９０のＹＥＳ）、ＣＰＵ１７Ａは、メモリＭ２１（図２５（ｂ））より今回の印刷サイクル番号および今回のジョブ番号を読み出し（ステップ１６５）、メモリＭ１９（図３６（ａ））より今回の印刷サイクル番号および今回のジョブ番号の対を削除する（ステップ１９２）。この例では、図３６（ｂ）に示すように、印刷サイクル番号「１」とジョブ番号「２」の対が削除される。
【０１９０】
以下、メモリＭ１９内の印刷サイクル番号とジョブ番号の対が無くなるまで、同様の動作を繰り返す。このようにして、サイクル１のジョブ１〜８について、その印刷を順番に行って行く。
【０１９１】
〔今回の印刷サイクル（サイクル１）で使用した全ての印刷ユニットを対象とするインキリムービング〕
サイクル１のジョブ１〜８の印刷が完了し、メモリＭ１９内の印刷サイクル番号とジョブ番号の対が無くなると（ステップ１９３のＮＯ）、ＣＰＵ１７Ａは、メモリＭ２５（図２９）より今回の印刷サイクルで使用した印刷ユニット番号とインキリムービング枚数を読み出し（図５９：ステップ１９４）、インキプリセット装置１３に送る（ステップ１９５）。
【０１９２】
これを受けて、インキプリセット装置１３は、後述すようにインキリムービングを行い、今回の印刷サイクルで使用した全ての印刷ユニットのインキ装置内に基本インキ膜厚分布を作成する。この例では、印刷ユニット１０−１〜１０−８のインキ装置において、サイクル１のジョブ１〜８で印刷した絵柄に応じたインキ膜厚分布が除去され、基本インキ膜厚分布が作成される。
【０１９３】
インキプリセット装置１３からインキリムービングの完了信号が送られてくると（ステップ１９６のＹＥＳ）、ＣＰＵ１７Ａは、サイクル１で使用した全ての印刷ユニット番号をメモリＭ２５（図２９）より読み出し、この読み出した印刷ユニット番号と洗浄開始指令信号をブランケット洗浄制御装置１６に送る（ステップ１９８）。これを受けて、ブランケット洗浄制御装置１６は、サイクル１で使用された全ての印刷ユニット１０のブランケット２９の洗浄を行う。この例では、印刷ユニット１０−１〜１０−８において、そのブランケット２９の洗浄が行われる。
【０１９４】
ブランケットの洗浄が終了し、ブランケット洗浄制御装置１６からブランケット洗浄完了信号が送られてくると（ステップ１９９のＹＥＳ）、ＣＰＵ１７Ａは、メモリＭ１１（図１５）から最も小さい印刷サイクル番号の印刷サイクル番号およびジョブ番号を削除する。この例では、図３７（ａ）に示すように、印刷サイクル番号「１」とジョブ番号「１」〜「８」の対が削除される。
【０１９５】
〔サイクル２〕
そして、ＣＰＵ１７Ａは、メモリＭ１１にデータが残っているか否かをチェックする（ステップ２０１）。この場合、データが残っているので、ステップ２０１のＹＥＳに応じてステップ２１０（図６０）へ進み、メモリＭ１１（図３７（ａ））より、最も小さい印刷サイクル番号の印刷サイクル番号とジョブ番号を読み出し、今回の印刷サイクル番号および今回の印刷サイクルのジョブ番号としてメモリＭ１９に書き込む。この例では、図３８に示すように、今回の印刷サイクル番号として印刷サイクル番号「２」が、今回の印刷サイクルのジョブ番号として「１」〜「４」がメモリＭ１９に書き込まれる。
【０１９６】
また、ＣＰＵ１７Ａは、メモリＭ１２（図１６）より、その印刷サイクル番号が今回の印刷サイクル番号と同じ印刷サイクル番号のジョブ番号および印刷色と使用する印刷ユニット番号を読み出し、今回の印刷サイクルのジョブ番号および印刷色と使用する印刷ユニット番号としてメモリＭ２０に書き込む（ステップ２１１）。
【０１９７】
この例では、図３９に示すように、今回の印刷サイクル番号として印刷サイクル番号「２」が、今回の印刷サイクルのジョブ番号として「１」〜「４」が、印刷色として「Ｂ」／「Ｂ」，「Ｃ」／「Ｃ」，「Ｍ」／「Ｍ」，「Ｙ」／「Ｙ」が、使用する印刷ユニット番号として「１」／「５」，「２」／「６」，「３」／「７」，「４」／「８」がメモリＭ２０に書き込まれる。
【０１９８】
〔ジョブ１〕
ＣＰＵ１７Ａは、メモリＭ１９（図３８）より、最も小さいジョブ番号の印刷サイクル番号およびジョブ番号を読み出し、今回の印刷サイクル番号および今回のジョブ番号としてメモリＭ２１に書き込む（ステップ２１２）。この例では、図４０（ａ）に示すように、今回の印刷サイクル番号として印刷サイクル番号「２」が、今回のジョブ番号としてジョブ番号「１」がメモリＭ２１に書き込まれる。
【０１９９】
また、ＣＰＵ１７Ａは、メモリＭ１２（図１６）より、その印刷サイクル番号およびジョブ番号が今回の印刷サイクル番号および今回のジョブ番号と同じ印刷色と使用する印刷ユニット番号を読み出し、今回のジョブの印刷に使用する印刷色および印刷ユニット番号としてメモリＭ２２に書き込む（ステップ２１３）。この例では、図４１（ａ）に示すように、今回のジョブの印刷に使用する印刷ユニット番号として印刷ユニット番号「１」／「５」が、今回のジョブの印刷に使用する印刷色として印刷色「Ｂ」／「Ｂ」がメモリＭ２２に書き込まれる。
【０２００】
〔刷版の交換、今回のジョブ（ジョブ１）の紙サイズ・紙厚のプリセット〕
次に、ＣＰＵ１７Ａは、自動刷版交換装置１５に、全ての印刷ユニット１０への刷版交換指令信号を送信する（ステップ２１４）。全ての印刷ユニット１０において刷版の交換が完了し、自動刷版交換装置１５から刷版交換完了信号が送られてくると（ステップ２１５のＹＥＳ）、ＣＰＵ１７Ａは、メモリＭ１４（図１８）より、その印刷サイクル番号およびジョブ番号が今回の印刷サイクル番号および今回のジョブ番号と同じ紙サイズ・紙厚データを読み出し、今回のジョブの紙サイズ・紙厚データとしてメモリＭ２３に書き込む（ステップ２１６）。この例では、図２７（ａ）に示すように、今回のジョブの紙サイズ・紙厚データとして、印刷サイクル番号「２」のジョブ番号「１」の紙サイズ・紙厚データＤ１Ａ，Ｄ１Ｂ，Ｄ１ＣがメモリＭ２３に書き込まれる。
【０２０１】
そして、ＣＰＵ１７Ａは、メモリＭ２３から今回のジョブの紙サイズ・紙厚データを読み出し、紙サイズ・紙厚プリセット装置１４へ送信する（ステップ２１７）。これを受けて、紙サイズ・紙厚プリセット装置１４は、今回のジョブ（サイクル２のジョブ１）の紙サイズ・紙厚に対応する位置に各装置を移動させる。
【０２０２】
〔今回のジョブ（ジョブ１）の印刷で使用する全ての印刷ユニットを対象とする絵柄に応じたインキ膜厚分布の作成〕
紙サイズ・紙厚プリセット装置１４からプリセット完了信号が送られてくると（ステップ２１８のＹＥＳ）、ＣＰＵ１７Ａは、メモリＭ１８（図２２）より、その印刷サイクル番号が今回の印刷サイクル番号と同じ印刷サイクル番号のジョブ番号および印刷色とインキリムービング枚数を読み出し、メモリＭ２４に書き込む（図６１：ステップ２１９）。
【０２０３】
この例では、図４２に示すように、今回の印刷サイクル番号として印刷サイクル番号「２」が、今回の印刷サイクルのジョブ番号として「１」〜「４」が、印刷色として「Ｂ」／「Ｂ」，「Ｃ」／「Ｃ」，「Ｍ」／「Ｍ」，「Ｙ」／「Ｙ」が、インキリムービング枚数として「ＮＲ１」／「ＮＲ５」，「ＮＲ２」／「ＮＲ６」，「ＮＲ３」／「ＮＲ７」，「ＮＲ４」／「ＮＲ８」がメモリＭ２４に書き込まれる。
【０２０４】
そして、ＣＰＵ１７Ａは、メモリＭ２０（図３９）より今回の印刷サイクルのジョブ番号および印刷色と使用する印刷ユニット番号を読み出し（ステップ２２０）、メモリＭ２０とメモリＭ２４（図４２）における同じジョブ番号および印刷色の使用する印刷ユニット番号とインキリムービング枚数とを対応づけ、今回の印刷サイクルで使用する印刷ユニット番号とインキリムービング枚数との対応関係としてメモリＭ２５に書き込む（ステップ２２１）。
【０２０５】
この例では、図４３に示すように、今回の印刷サイクルとして印刷サイクル番号「２」が、今回の印刷サイクルで使用する印刷ユニット番号として印刷ユニット番号「１」〜「８」が、印刷ユニット番号「１」〜「８」に対応するインキリムービング枚数として「ＮＲ１」〜「ＮＲ８」がメモリＭ２５に書き込まれる。
【０２０６】
次に、ＣＰＵ１７Ａは、メモリＭ１（図１４）より、その印刷サイクル番号およびジョブ番号が今回の印刷サイクル番号および今回のジョブ番号と同じ印刷色と各ブレードの開き量を読み出し、メモリＭ２８に書き込む（ステップ２２２）。この例では、図４４（ａ）に示すように、印刷色として「Ｂ」／「Ｂ」が、各ブレードの開き量として「Ｄ１１〜Ｄ１ｎ」／「Ｄ５１〜Ｄ５ｎ」がメモリＭ２８に書き込まれる。
【０２０７】
そして、ＣＰＵ１７Ａは、メモリＭ２２（図４１（ａ））より、今回のジョブの印刷に使用する印刷ユニット番号と印刷色を読み出し（ステップ２２３）、メモリＭ２２とメモリＭ２８（図４４（ａ））における同じ印刷色の使用する印刷ユニット番号と各ブレードの開き量とを対応づけ、今回のジョブの印刷で使用する印刷ユニット番号と印刷色と各ブレードの開き量との対応関係としてメモリＭ２９に書き込む（ステップ２２４）。この例では、図４５（ａ）に示すように、使用する印刷ユニット番号として「１」／「５」が、印刷色として「Ｂ」／「Ｂ」が、各ブレードの開き量として「Ｄ１１〜Ｄ１ｎ」／「Ｄ５１〜Ｄ５ｎ」がメモリＭ２９に書き込まれる。
【０２０８】
次に、ＣＰＵ１７Ａは、メモリＭ１７（図２１）より、その印刷サイクル番号およびジョブ番号が今回の印刷サイクル番号および今回のジョブ番号と同じ印刷色とプレインキングIIの呼出し回数を読み出し、メモリＭ３３に書き込む（ステップ２２５）。この例では、図４６（ａ）に示すように、印刷色として「Ｂ」／「Ｂ」が、プレインキングIIの呼出し回数として「ＮＣ１」／「ＮＣ５」がメモリＭ３３に書き込まれる。
【０２０９】
そして、ＣＰＵ１７Ａは、メモリＭ２２（図４１（ａ））より、今回のジョブの印刷に使用する印刷ユニット番号と印刷色を読み出し（ステップ２２６）、メモリＭ２２とメモリＭ３３（図４６（ａ））における同じ印刷色の使用する印刷ユニット番号とプレインキングIIの呼出し回数とを対応づけ、今回のジョブの印刷で使用する印刷ユニット番号と印刷色とプレインキングIIの呼出し回数との対応関係としてメモリＭ３４に書き込む（ステップ２２７）。この例では、図４７（ａ）に示すように、使用する印刷ユニット番号として「１」／「５」が、印刷色として「Ｂ」／「Ｂ」が、プレインキングIIの呼出し回数として「ＮＣ１」／「ＮＣ５」がメモリＭ３４に書き込まれる。
【０２１０】
そして、ＣＰＵ１７Ａは、メモリＭ２９（図４５（ａ））から今回のジョブの印刷で使用する印刷ユニット番号と印刷色と各ブレードの開き量を読み出し、メモリＭ３４（図４７（ａ））から今回のジョブの印刷で使用する印刷ユニット番号と印刷色とプレインキングIIの呼出し回数を読み出し、インキプリセット装置１３に送信する（ステップ２２８）。
【０２１１】
これを受けて、インキプリセット装置１３は、後述するようにプレインキングIIを行い、今回のジョブの印刷で使用する全ての印刷ユニット１０のインキ装置内に、その印刷ユニット１０に装着された刷版２８’の絵柄に応じたインキ膜厚分布を形成する。この例では、印刷ユニット１０−１，１０−５のインキ装置内に、印刷ユニット１０−１，１０−５に装着された刷版２８’の絵柄に応じたインキ膜厚分布が作成される。
【０２１２】
〔印刷〕
インキプリセット装置１３からプレインキングIIの完了信号が送られてくると（ステップ２２９のＹＥＳ）、ＣＰＵ１７Ａは、オペレータからの試刷りスイッチＳＷ３あるいは印刷開始スイッチＳＷ４の入力操作を待つ（図６２：ステップ２３０、２３４）。
【０２１３】
〔試刷り〕
試刷りスイッチＳＷ３がオンとされると（ステップ２３０のＹＥＳ）、ＣＰＵ１７Ａは、メモリＭ２２（図４１（ａ））より今回のジョブの印刷に使用する印刷ユニット番号と印刷色を読み出し（ステップ２３１）、この読み出した印刷ユニット番号および印刷色と試刷り開始信号を印刷機制御装置１８へ送る（ステップ２３２）。これを受けて、印刷機制御装置１８は、印刷ユニット１０−１，１０−５のみ胴入れを行って、ジョブ１の印刷の試刷りを行う。
【０２１４】
〔本刷り〕
印刷開始スイッチＳＷ４がオンとされると（ステップ２３４のＹＥＳ）、ＣＰＵ１７Ａは、メモリＭ２２（図４１（ａ））より今回のジョブの印刷に使用する印刷ユニット番号と印刷色を読み出す（ステップ２３５）。また、メモリＭ２１（図４０（ａ））より今回の印刷サイクル番号および今回のジョブ番号を読み出す（ステップ２３６）。そして、メモリＭ１３（図１７）より、その印刷サイクル番号およびジョブ番号が今回の印刷サイクル番号および今回のジョブ番号と同じ印刷枚数を読み出し、今回のジョブの印刷枚数としてメモリＭ３２に書き込む（ステップ２３７）。この例では、印刷サイクル番号「２」のジョブ番号「１」の印刷枚数Ｎ１がメモリＭ１３より読み出され、今回のジョブの印刷枚数としてメモリＭ３２に書き込まれる。
【０２１５】
そして、ＣＰＵ１７Ａは、今回のジョブの印刷枚数と今回のジョブの印刷に使用する印刷ユニット番号と印刷色を印刷機制御装置１８へ送る（ステップ２３８）。これを受けて、印刷機制御装置１８は、印刷ユニット１０−１，１０−５のみ胴入れを行って、ジョブ１の印刷の本刷りを行う。
【０２１６】
ジョブ１の印刷が終了し、印刷機制御装置１８からの印刷完了信号を受信すると（ステップ２３９のＹＥＳ）、ＣＰＵ１７Ａは、メモリＭ２１（図４０（ａ））より今回の印刷サイクル番号および今回のジョブ番号を読み出し（ステップ２４０）、メモリＭ１９（図３８）より今回の印刷サイクル番号および今回のジョブ番号の対を削除する（ステップ２４１）。この例では、図４８（ａ）に示すように、印刷サイクル番号「２」とジョブ番号「１」の対が削除される。
【０２１７】
〔ジョブ２〕
そして、ＣＰＵ１７Ａは、メモリＭ１９にデータが残っているか否かをチェックする（ステップ２４２）。この場合、データが残っているので、ステップ２４２のＹＥＳに応じてステップ２４３（図６４）へ進み、メモリＭ１９より最も小さいジョブ番号の印刷サイクル番号およびジョブ番号を読み出し、今回の印刷サイクル番号および今回のジョブ番号としてメモリＭ２１に書き込む。この例では、図４０（ｂ）に示すように、今回の印刷サイクル番号として印刷サイクル番号「２」が、今回のジョブ番号としてジョブ番号「２」がメモリＭ２１に書き込まれる。
【０２１８】
また、ＣＰＵ１７Ａは、メモリＭ１２（図１６）より、その印刷サイクル番号およびジョブ番号が今回の印刷サイクル番号および今回のジョブ番号と同じ印刷色と使用する印刷ユニット番号を読み出し、今回のジョブの印刷に使用する印刷ユニット番号および印刷色としてメモリＭ２２に書き込む（ステップ２４４）。この例では、図４１（ｂ）に示すように、今回のジョブの印刷に使用する印刷ユニット番号として「２」／「６」が、印刷色として「Ｃ」／「Ｃ」がメモリＭ２２に書き込まれる。
【０２１９】
〔今回のジョブ（ジョブ２）の紙サイズ・紙厚のプリセット〕
次に、ＣＰＵ１７Ａは、メモリＭ１４（図１８）より、その印刷サイクル番号およびジョブ番号が今回の印刷サイクル番号および今回のジョブ番号と同じ紙サイズ・紙厚データを読み出し、今回のジョブの紙サイズ・紙厚データとしてメモリＭ２３に書き込む（ステップ２４５）。この例では、図２７（ｂ）に示すように、今回のジョブの紙サイズ・紙厚データとして、印刷サイクル番号「２」のジョブ番号「２」の紙サイズ・紙厚データ「Ｄ２Ａ，Ｄ２Ｂ，Ｄ２Ｃ」がメモリＭ２３に書き込まれる。
【０２２０】
そして、ＣＰＵ１７Ａは、メモリＭ２３から今回のジョブの紙サイズ・紙厚データを読み出し、紙サイズ・紙厚プリセット装置１４へ送信する（ステップ２４６）。これを受けて、紙サイズ・紙厚プリセット装置１４は、今回のジョブの紙サイズ・紙厚に対応する位置に各装置を移動させる。
【０２２１】
〔今回のジョブ（ジョブ２）の印刷で使用する全ての印刷ユニットを対象とする絵柄に応じたインキ膜厚分布の作成〕
紙サイズ・紙厚プリセット装置１４からプリセット完了信号が送られてくると（ステップ２４７のＹＥＳ）、ＣＰＵ１７Ａは、メモリＭ１（図１４）より、その印刷サイクル番号およびジョブ番号が今回の印刷サイクル番号および今回のジョブ番号と同じ印刷色と各ブレードの開き量を読み出し、メモリＭ２８に書き込む（ステップ２４８）。この例では、図４４（ｂ）に示すように、印刷色として「Ｃ」／「Ｃ」が、各ブレードの開き量として「Ｄ２１〜Ｄ２ｎ」／「Ｄ６１〜Ｄ６ｎ」がメモリＭ２８に書き込まれる。
【０２２２】
そして、ＣＰＵ１７Ａは、メモリＭ２２（図４１（ｂ））より、今回のジョブの印刷に使用する印刷ユニット番号と印刷色を読み出し（ステップ２４９）、メモリＭ２２とメモリＭ２８（図４４（ｂ））における同じ印刷色の使用する印刷ユニット番号と各ブレードの開き量とを対応づけ、今回のジョブの印刷で使用する印刷ユニット番号と印刷色と各ブレードの開き量との対応関係としてメモリＭ２９に書き込む（ステップ２５０）。この例では、図４５（ｂ）に示すように、使用する印刷ユニット番号として「２」／「６」が、印刷色として「Ｃ」／「Ｃ」が、各ブレードの開き量として「Ｄ２１〜Ｄ２ｎ」／「Ｄ６２〜Ｄ６ｎ」がメモリＭ２９に書き込まれる。
【０２２３】
次に、ＣＰＵ１７Ａは、メモリＭ１７（図２１）より、その印刷サイクル番号およびジョブ番号が今回の印刷サイクル番号および今回のジョブ番号と同じ印刷色とプレインキングIIの呼出し回数を読み出し、メモリＭ３３に書き込む（ステップ２５１）。この例では、図４６（ｂ）に示すように、印刷色として「Ｃ」／「Ｃ」が、プレインキングIIの呼出し回数として「ＮＣ２」／「ＮＣ６」がメモリＭ３３に書き込まれる。
【０２２４】
そして、ＣＰＵ１７Ａは、メモリＭ２２（図４１（ａ））より、今回のジョブの印刷に使用する印刷ユニット番号と印刷色を読み出し（ステップ２５２）、メモリＭ２２とメモリＭ３３において同じ印刷色の使用する印刷ユニット番号とプレインキングIIの呼出し回数とを対応づけ、今回のジョブの印刷で使用する印刷ユニット番号と印刷色とプレインキングIIの呼出し回数との対応関係としてメモリＭ３４に書き込む（ステップ２５３）。この例では、図４７（ｂ）に示すように、使用する印刷ユニット番号として「２」／「６」が、印刷色として「Ｃ」／「Ｃ」が、プレインキングIIの呼出し回数として「ＮＣ２」／「ＮＣ６」がメモリＭ３４に書き込まれる。
【０２２５】
そして、ＣＰＵ１７Ａは、メモリＭ２９（図４５（ｂ））から今回のジョブの印刷で使用する印刷ユニット番号と印刷色と各ブレードの開き量を読み出し、メモリＭ３４（図４７（ｂ））から今回のジョブの印刷で使用する印刷ユニット番号と印刷色とプレインキングIIの呼出し回数を読み出し、インキプリセット装置１３に送信する（ステップ２５４）。
【０２２６】
これを受けて、インキプリセット装置１３は、後述するようにプレインキングIIを行い、今回のジョブの印刷で使用する全ての印刷ユニット１０のインキ装置内に、その印刷ユニット１０に装着された刷版２８’の絵柄に応じたインキ膜厚分布を形成する。この例では、印刷ユニット１０−２，１０−６のインキ装置内に、印刷ユニット１０−２，１０−６に装着された刷版２８’の絵柄に応じたインキ膜厚分布が作成される。
【０２２７】
〔印刷〕
インキプリセット装置１３からプレインキングIIの完了信号が送られてくると（ステップ２５５のＹＥＳ）、ＣＰＵ１７Ａは、オペレータからの試刷りスイッチＳＷ３あるいは印刷開始スイッチＳＷ４の入力操作を待つ（図６５：ステップ２５６、２６０）。
【０２２８】
〔試刷り〕
試刷りスイッチＳＷ３がオンとされると（ステップ２５６のＹＥＳ）、ＣＰＵ１７Ａは、メモリＭ２２（図４１（ｂ））より今回のジョブの印刷に使用する印刷ユニット番号と印刷色を読み出し（ステップ２５７）、この読み出した印刷ユニット番号と印刷色と刷り開始信号を印刷機制御装置１８へ送る（ステップ２５８）。これを受けて、印刷機制御装置１８は、印刷ユニット１０−２，１０−６のみ胴入れを行って、ジョブ２の印刷の試刷りを行う。
【０２２９】
〔本刷り〕
印刷開始スイッチＳＷ４がオンとされると（ステップ２６０のＹＥＳ）、ＣＰＵ１７Ａは、メモリＭ２２（図４１（ｂ））より今回のジョブの印刷に使用する印刷ユニット番号と印刷色を読み出す（ステップ２６１）。また、メモリＭ２１（図４０（ｂ））より今回の印刷サイクル番号および今回のジョブ番号を読み出す（ステップ２６２）。そして、メモリＭ１３（図１７）より、その印刷サイクル番号およびジョブ番号が今回の印刷サイクル番号および今回のジョブ番号と同じ印刷枚数を読み出し、今回のジョブの印刷枚数としてメモリＭ３２に書き込む（ステップ２６３）。この例では、印刷サイクル番号「２」のジョブ番号「２」の印刷枚数Ｎ２がメモリＭ１３より読み出され、今回のジョブの印刷枚数としてメモリＭ３２に書き込まれる。
【０２３０】
そして、ＣＰＵ１７Ａは、今回のジョブの印刷枚数と今回のジョブの印刷に使用する印刷ユニット番号と印刷色を印刷機制御装置１８へ送る（ステップ２６４）。これを受けて、印刷機制御装置１８は、印刷ユニット１０−２，１０−６のみ胴入れを行って、ジョブ２の印刷の本刷りを行う。
【０２３１】
ジョブ２の印刷が終了し、印刷機制御装置１８からの印刷完了信号を受信すると（ステップ２６５のＹＥＳ）、ＣＰＵ１７Ａは、メモリＭ２１（図４０（ｂ））より今回の印刷サイクル番号および今回のジョブ番号を読み出し（ステップ２６６）、メモリＭ１９（図４８（ａ））より今回の印刷サイクル番号および今回のジョブ番号の対を削除する（ステップ２６７）。この例では、図４８（ｂ）に示すように、印刷サイクル番号「２」とジョブ番号「２」の対が削除される。
【０２３２】
以下、メモリＭ１９内の印刷サイクル番号とジョブ番号の対が無くなるまで、同様の処理動作を繰り返す。このようにして、サイクル２のジョブ１〜４について、その印刷を順番に行って行く。
【０２３３】
〔今回の印刷サイクル（サイクル２）で使用した全ての印刷ユニットを対象とするインキリムービング〕
サイクル２のジョブ１〜４の印刷が完了し、メモリＭ１９内の印刷サイクル番号とジョブ番号の対が無くなると（ステップ２６８のＮＯ）、ＣＰＵ１７Ａは、メモリＭ２５（図４３）より今回の印刷サイクルで使用した印刷ユニット番号とインキリムービング枚数を読み出し（図６６：ステップ２６９）、インキプリセット装置１３に送る（ステップ２７０）。
【０２３４】
これを受けて、インキプリセット装置１３は、後述すようにインキリムービングを行い、今回の印刷サイクルで使用した全ての印刷ユニットのインキ装置内に基本インキ膜厚分布を作成する。この例では、印刷ユニット１０−１〜１０−８のインキ装置において、サイクル２のジョブ１〜４で印刷した絵柄に応じたインキ膜厚分布が除去され、基本インキ膜厚分布が作成される。
【０２３５】
インキプリセット装置１３からインキリムービングの完了信号が送られてくると（ステップ２７１のＹＥＳ）、ＣＰＵ１７Ａは、サイクル２で使用した全ての印刷ユニット番号をメモリＭ２５（図２９）より読み出し、この読み出した印刷ユニット番号と洗浄開始指令信号をブランケット洗浄制御装置１６に送る（ステップ２７３）。これを受けて、ブランケット洗浄制御装置１６は、サイクル２で使用された全ての印刷ユニット１０のブランケット２９の洗浄を行う。この例では、印刷ユニット１０−１〜１０−８において、そのブランケット２９の洗浄が行われる。
【０２３６】
ブランケットの洗浄が終了し、ブランケット洗浄制御装置１６からブランケット洗浄完了信号が送られてくると（ステップ２７４のＹＥＳ）、ＣＰＵ１７Ａは、メモリＭ１１（図３７（ａ））から最も小さい印刷サイクル番号の印刷サイクル番号およびジョブ番号を削除する。この例では、図３７（ｂ）に示すように、印刷サイクル番号「２」とジョブ番号「１」〜「４」の対が削除され、メモリＭ１１から全ての印刷サイクル番号とジョブ番号がなくなる。これにより、ＣＰＵ１７Ａは、メモリＭ１１から全てのデータが無くなったことを確認して（ステップ２７６のＮＯ）、一連の複数ジョブの印刷処理を終了する。
【０２３７】
なお、ステップ２７６においてメモリ１１にデータが残っていた場合、ＣＰＵ１７Ａは、ステップ２１０へ戻り、サイクル１，サイクル２と同様にして次のサイクルのジョブの印刷を行う。
また、この例では、サイクル１で具体例１の印刷（片面単色印刷を１ジョブとし８ジョブを１サイクルとする印刷）を、サイクル２で具体例２（両面単色印刷を１ジョブとし４ジョブを１サイクルとする印刷）を行うものとしたが、他の例でも同様にして処理を進めて行くことができる。
【０２３８】
尚、この実施の形態では、分かり易いように、印刷ユニット１０−１と１０−５で墨色（Ｂ）を、印刷ユニット１０−２と１０−６で藍色（Ｃ）を、印刷ユニット１０−３と１０−７で赤色（Ｍ）を、印刷ユニット１０−４と１０−８で黄色（Ｙ）を印刷するものとして説明したが、単色印刷で通常行われるように、全ての印刷ユニット１０−１〜１０−８で墨色（Ｂ）の印刷を行うようにしても良いことは、言うまでもない。
【０２３９】
〔自動刷版交換装置〕
図６７に自動刷版交換装置１５の内部構成の概略を示す。自動刷版交換装置１５は、ＣＰＵ１５Ａ、ＲＡＭ１５Ｂ、ＲＯＭ１５Ｃ、メモリ１５Ｄ、表面１色目の安全カバー開閉装置１５Ｅ１〜裏面４色目の安全カバー開閉装置１５Ｅ８、表面１色目の版交換用ローダ駆動装置１５Ｆ１〜裏面４色目の版交換用ローダ駆動装置１５Ｆ８、表面１色目の版交換用ローダ１５Ｇ１〜裏面４色目の版交換用ローダ１５Ｇ８、入出力インターフェイス（Ｉ／Ｏ，Ｉ／Ｆ）１５Ｈ〜１５Ｎを備えており、インターフェイス１５Ｊを介して主制御装置１７と接続され、インターフェイス１５Ｉを介して表面１色目の印刷ユニット１０−１〜裏面４色目の印刷ユニット１０−８と接続されている。
【０２４０】
なお、図６７において、３０は印刷機の原動モータ、３１は原動モータドライバ、３２は原動モータ用ロータリーエンコーダ、３３はＦ／Ｖ変換器、３４はＡ／Ｄ変換器、３５は原動モータ用ロータリーエンコーダ用のカウンタであり、ロータリーエンコーダ３２は原動モータ３０の所定回転数（角度）毎に回転パルスを発生してＦ／Ｖ変換器３３，原動モータドライバ３１およびカウンタ３５に出力する。
【０２４１】
メモリ１５Ｄには、図６８に示すように、メモリＭ３５〜Ｍ４３が設けられる。メモリＭ３５には、各印刷ユニットの給版位置および尻側版万力閉位置が記憶されている。メモリＭ３６には、後述するように、残りの印刷ユニットの給版位置および尻側版万力閉位置が記憶される。メモリＭ３７には、原動モータ用正転緩動速度が記憶されている。メモリＭ３８にはカウンタ３５のカウント値が記憶される。メモリＭ３９には印刷機の回転位相が記憶される。メモリＭ４０には、後述するように、第２の残りの印刷ユニットの給版位置および尻側版万力閉位置が記憶される。メモリＭ４１には各印刷ユニットの排版位置が記憶されている。メモリＭ４２には、後述するように、残りの印刷ユニットの排版位置が記憶される。メモリＭ４３には原動モータ用逆転緩動速度が記憶されている。
【０２４２】
〔刷版の装着〕
ＣＰＵ１５Ａは、主制御装置１７から全ての印刷ユニットへの刷版装着指令信号が送られてくると（図６９：ステップ３０１のＹＥＳ）、全ての印刷ユニットの安全カバー開閉装置１５Ｅ（１５Ｅ１〜１５Ｅ８）に開信号を出力すると同時に（ステップ３０２）、全ての印刷ユニットの版交換用ローダ駆動装置１５Ｆ（１５Ｆ１〜１５Ｆ８）に版交換位置への移動信号を出力する（ステップ３０３）。また、メモリＭ３５より各印刷ユニットの給版位置および尻側版万力閉位置を読み出して、メモリＭ３６に記憶する（ステップ３０４）。
【０２４３】
そして、メモリＭ３７より原動モータ用正転緩動速度を読み出して、原動モータドライバ３１へ出力し（ステップ３０５）、原動モータ３０を正転緩動速度で回転させる。そして、カウンタ３５のカウント値より印刷機の回転位相を演算し、メモリＭ３６に格納されている表面１色目の印刷ユニットの給版位置で原動モータ３０を停止させ、表面１色目の印刷ユニット１０−１および表面１色目の版交換用ローダ１５Ｇ１に給版信号を出力する（ステップ３０６〜３１１）。これにより、表面１色目の印刷ユニット１０−１への給版が行われる。この後、メモリＭ３６より、給版が完了した表面１色目の印刷ユニットの給版位置を削除する（ステップ３１２）。
【０２４４】
次に、メモリＭ３６より残りの印刷ユニットの給版位置および尻側万力閉位置を読み出し（図７０：ステップ３１３）、正転方向で現在位置に最も近い位置を選択する（ステップ３１４）。そして、選択した位置が給版位置であれば（ステップ３１５のＹＥＳ）、先のステップ３０５〜３１１と同様にして、選択した給版位置（選択した印刷ユニットの給版位置）で原動モータ３０を停止させ、選択した印刷ユニットへの給版を行う（ステップ３１６〜３２１）。この後、メモリＭ３６より、給版が完了した印刷ユニットの給版位置を削除する（ステップ３２２）。
【０２４５】
ステップ３１５において、選択した位置が尻側版万力閉位置であれば、メモリＭ３６より残りの印刷ユニットの給版位置および尻側版万力閉位置を読み出し（図７１：ステップ３２７）、この給版位置および尻側版万力閉位置に選択した尻側版万力閉位置（選択した印刷ユニットの尻側版万力閉位置）と対となる給版位置の有無をチェックする（ステップ３２８）。対となる給版位置が無ければ、その印刷ユニットに対する給版が完了しているものと判断し、原動モータ３０を正転緩動させ、選択した尻側版万力閉位置で原動モータ３０を停止させ、選択した印刷ユニットにおける尻側版万力を閉とする（ステップ３２９〜３３４）。これにより、選択した印刷ユニットにおける刷版の装着が完了する。この後、メモリＭ３６より、尻側版万力を閉とした印刷ユニットの尻側版万力閉位置を削除する（ステップ３５５）。
【０２４６】
ステップ３２８において、対となる給版位置が無ければ、その印刷ユニットに対する給版が行われていないものと判断し、メモリＭ３６より残りの印刷ユニットの給版位置および尻側版万力閉位置を読み出し、メモリＭ４０に記憶する（ステップ３３６）。そして、メモリＭ４０より残りの印刷ユニットの給版位置および尻側版万力閉位置を読み出して（ステップ３３７）、ステップ３１４へ戻る。以下、ステップ３１４以降の処理を繰り返すことにより、全ての印刷ユニットにおける刷版の装着を実行する。
【０２４７】
全ての印刷ユニットへの刷版の装着が完了すると（ステップ３２３のＹＥＳ）、全ての印刷ユニットの版交換用ローダ駆動装置１５Ｆ（１５Ｆ１〜１５Ｆ８）に退避位置への移動信号を送り（ステップ３２４）、全ての印刷ユニットの安全カバー開閉装置１５Ｅ（１５Ｅ１〜１５Ｅ８）に閉信号を送る（ステップ３２５）。そして、主制御装置１７に、全ての印刷ユニットへの刷版装着完了信号を送信する（ステップ３２６）。
【０２４８】
〔刷版の交換〕
ＣＰＵ１５Ａは、主制御装置１７から全ての印刷ユニットへの刷版交換指令信号が送られてくると（図７２：ステップ３３８のＹＥＳ）、全ての安全カバー開閉装置１５Ｅ（１５Ｅ１〜１５Ｅ８）に開信号を出力すると同時に（ステップ３３９）、全ての印刷ユニットの版交換用ローダ駆動装置１５Ｆ（１５Ｆ１〜５Ｆ８）に版交換位置への移動信号を出力する（ステップ３４０）。また、メモリＭ４１より各印刷ユニットの排版位置を読み出して、メモリＭ４２に記憶する（ステップ３４１）。
【０２４９】
そして、メモリＭ４３より原動モータ用逆転緩動速度を読み出して、原動モータドライバ３１へ出力し（ステップ３４２）、原動モータ３０を逆転緩動速度で回転させる。そして、カウンタ３５のカウント値より印刷機の回転位相を演算し、メモリＭ４２に格納されている裏面４色目の印刷ユニットの排版位置で原動モータ３０を停止させ、裏面４色目の印刷ユニット１０−８および裏面４色目の版交換用ローダ１５Ｇ８に排版信号を出力する（ステップ３４３〜３４８）。これにより、裏面４色目の印刷ユニット１０−８からの排版が行われる。この後、メモリＭ４２より、排版が完了した裏面４色目の印刷ユニットの排版位置を削除する（ステップ３４９）。
【０２５０】
次に、メモリＭ４２より残りの印刷ユニットの排版位置を読み出し（図７３：ステップ３５０）、逆転方向で現在位置に最も近い排版位置を選択する（ステップ３５１）。そして、先のステップ３４２〜３４８と同様にして、選択した排版位置（選択した印刷ユニットの排版位置）で原動モータ３０を停止させ、選択した印刷ユニットからの排版を行う（ステップ３５２〜３５７）。この後、メモリＭ４２より、排版が完了した印刷ユニットの排版位置を削除する（ステップ３５８）。以下同様にして、全ての印刷ユニットからの排版が完了するまで、ステップ３５０〜３５９の処理を繰り返す。
【０２５１】
全ての印刷ユニットからの排版を完了すれば（ステップ３５９のＹＥＳ）、ステップ３６０〜３６８（図７４）、ステップ３６９〜３８２（図７５）、ステップ３８３〜３９３（図７６）の処理により、全ての印刷ユニットへの刷版の装着を行う。この刷版の装着は、先のステップ３０４〜３３７の処理と同じであるので、ここでの説明は省略する。
【０２５２】
〔紙サイズ・紙厚プリセット装置〕
図７７に紙サイズ・紙厚プリセット装置１４の内部構成の概略を示す。紙サイズ・紙厚プリセット装置１４は、ＣＰＵ１４Ａ、ＲＡＭ１４Ｂ、ＲＯＭ１４Ｃ、メモリＭ４４〜Ｍ４７、紙サイズ・紙厚のプリセット対象となる各装置（サッカー、フィーダー部の紙ガイドエア吹き、横針、ゴム胴圧胴間の隙間量、吸引車、横寄せ、デリバリー部の紙ガイド等）の位置調整用モータ１４Ｄ（１４Ｄ１〜１４Ｄｍ）、位置調整用モータドライバ１４Ｅ（１４Ｅ１〜１４Ｅｍ）、ポテンショメータ１４Ｆ（１４Ｆ１〜１４Ｆｍ）、Ａ／Ｄ変換器１４Ｇ（１４Ｇ１〜１４Ｇｍ）、入出力インターフェイス（Ｉ／Ｏ，Ｉ／Ｆ）１４Ｈ（１４Ｈ１〜１４Ｈｍ）および１４Ｉを備えており、インターフェイス１４Ｉを介して主制御装置１７と接続されている。
【０２５３】
ＣＰＵ１４Ａは、主制御装置１７から紙サイズ・紙厚データが送られてくると（図７８：ステップ４０１のＹＥＳ）、受信した紙サイズ・紙厚データをメモリＭ４４に記憶する（ステップ４０２）。また、受信した紙サイズ・紙厚データより各装置の目標位置を演算し、メモリＭ４５に記憶する（ステップ４０３）。そして、Ａ／Ｄ変換器１４Ｇ（１４Ｇ１〜Ｇｍ）を介するポテンショメータ１４Ｆ（１４Ｆ１〜１４Ｆｍ）の値から各装置の現在位置を演算し、各装置の現在値をステップ４０３で求めた目標位置に合わせ込み、主制御装置１７にプリセット完了信号を送る（ステップ４０４〜４１５）。
【０２５４】
〔インキプリセット装置〕
図７９にインキプリセット装置１３の内部構成の概略を示す。インキプリセット装置１３は、ＣＰＵ１３Ａ、ＲＡＭ１３Ｂ、ＲＯＭ１３Ｃ、メモリ１３Ｄ、入出力インターフェイス（Ｉ／Ｏ，Ｉ／Ｆ）１３Ｅ〜１３Ｉを備えており、インターフェイス１３Ｊを介して主制御装置１７、表面１色目のインキツボローラ制御装置３６−１〜裏面４色目のインキツボローラ制御装置３６−８、各色の印刷ユニット毎に設けられたインキツボキー制御装置３７−１〜３７−ｎと接続されている。また、インターフェイス１３Ｆを介して表面１色目の印刷ユニット１０−１〜裏面４色目の印刷ユニット１０−８と接続され、インターフェイス１３Ｅを介して給紙装置３８に接続され、インターフェイス１３Ｈを介して表面１色目のインキ呼出し装置３９−１〜裏面４色面のインキ呼出し装置３９−８と接続されている。なお、図６７において、４０は印刷機の原点位置検出器、４１は印刷機の回転数カウント用のカウンタである。
【０２５５】
メモリ１３Ｄには、図８０に示すように、メモリＭ４８〜Ｍ６０が設けられる。メモリＭ４８には、今回の印刷サイクルで使用する印刷ユニット番号と印刷色とプレインキングＩのステップ１の呼出し回数が記憶される。メモリＭ４９には、プレインキングＩのステップ１時の各色のインキツボローラの送り量が記憶されている。メモリＭ５０には、プレインキングＩのステップ１時の各色のインキツボキーの開き量が記憶されている。メモリＭ５１には、印刷機の設定速度１（低速）が記憶されている。メモリＭ５２には、印刷機の設定速度２（高速）が記憶されている。メモリＭ５３には、印刷機の原動モータ用のロータリーエンコーダ３２に接続されたＦ／Ｖ変換器３３の出力が記憶される。メモリＭ５４には、現在の印刷機の回転速度が記憶される。
【０２５６】
メモリＭ５５には、印刷機の回転数カウント用のカウンタ４１のカウント値が記憶される。メモリＭ５６には、今回のジョブの印刷で使用する印刷ユニット番号と印刷色とブレード開き量が記憶される。メモリＭ５７には、今回のジョブの印刷で使用する印刷ユニット番号と印刷色とプレインキングＩのステップ２の呼出し回数が記憶される。メモリＭ５８には、プレインキングＩのステップ２およびプレインキングII時の各色のインキツボローラの送り量が記憶されている。メモリＭ５９には、今回のジョブの印刷で使用する印刷ユニット番号と印刷色とプレインキングIIの呼出し回数が記憶される。メモリＭ６０には、今回の印刷サイクルで使用する印刷ユニット番号とインキリムービング枚数が記憶される。
【０２５７】
〔プレインキングＩのステップ１〕
ＣＰＵ１３Ａは、主制御装置１７から今回の印刷サイクルで使用する全ての印刷ユニット番号と印刷色とプレインキングＩのステップ１の呼出し回数が送られてくると（図８１：ステップ５０１のＹＥＳ）、それをメモリＭ４８に記憶する（ステップ５０２）。そして、メモリＭ４９よりプレインキングＩのステップ１時の各色のインキツボローラの送り量を読み出し（ステップ５０３）、今回の印刷サイクルで使用する印刷ユニット番号と印刷色より、該当する色のプレインキングＩのステップ１時のインキツボローラの送り量を、各印刷ユニットのインキツボローラ制御装置３６に送信する（ステップ５０４）。
【０２５８】
また、メモリＭ５０よりプレインキングＩのステップ１時の各色のインキツボキーの開き量を読み出し（ステップ５０５）、今回の印刷サイクルで使用する印刷ユニット番号と印刷色より、該当する色のプレインキングＩのステップ１時のインキツボキーの開き量を、各印刷ユニットの各インキツボキー制御装置３７に送信する（ステップ５０６）。
【０２５９】
そして、ブレード開き量を送信した全てのインキツボキー制御装置３７からのインキツボキーの開き量の修正完了信号を確認し（ステップ５０７のＹＥＳ）、メモリＭ５１より印刷機の設定速度１を読み出し（図８２：ステップ５０８）、印刷機の回転速度を設定速度１（低速）とする（ステップ５０９〜５１２）。次に、メモリＭ５２より印刷機の設定速度２を読み出し（ステップ５１３）、印刷機の回転速度を設定速度２（高速）とする（ステップ５１４〜５１７）。
【０２６０】
そして、今回の印刷サイクルで使用する番号の印刷ユニットのインキ呼出し装置３９に動作指令を送り（図８３：ステップ５１８）、カウンタ４１にリセット信号およびイネーブル信号を送り（ステップ５１９）、カウンタ４１のカウント値が今回の印刷サイクルで使用する番号の印刷ユニットのプレインキングＩのステップ１の呼出し回数となれば（ステップ５２０，５２１、ステップ５２２のＹＥＳ）、対応する番号の印刷ユニットのインキ呼出し装置３９を停止する（ステップ５２３）。この動作を繰り返し、今回の印刷サイクルで使用する全ての番号の印刷ユニットのインキ呼出し装置３９が停止すれば（ステップ５２４のＹＥＳ）、今回の印刷サイクルで使用する全ての印刷ユニットでの基本インキ膜厚分布の作成が完了したものとして、主制御装置１７にプレインキングＩのステップ１完了信号を送信する（ステップ５２５）。
【０２６１】
〔プレインキングＩのステップ２〕
ＣＰＵ１３Ａは、主制御装置１７から今回のジョブの印刷で使用する印刷ユニット番号と印刷色とブレード開き量および今回のジョブの印刷で使用する印刷ユニット番号と印刷色とプレインキングＩのステップ２の呼出し回数が送られてくると（図８４：ステップ５２６のＹＥＳ）、今回のジョブの印刷で使用する印刷ユニット番号と印刷色とブレード開き量をメモリＭ５６に記憶し、今回のジョブの印刷で使用する印刷ユニット番号と印刷色とプレインキングＩのステップ２の呼出し回数をメモリＭ５７に記憶する（ステップ５２７）。
【０２６２】
そして、メモリＭ５８よりプレインキングＩのステップ２およびプレインキングII時の各色のインキツボローラの送り量を読み出し（ステップ５２８）、今回のジョブの印刷で使用する印刷ユニット番号と印刷色より、該当する色のプレインキングＩのステップ２およびプレインキングII時のインキツボローラの送り量を、各印刷ユニットのインキツボローラ制御装置３６に送信する（ステップ５３０）。また、メモリＭ５６より今回のジョブの印刷で使用する印刷ユニット番号とブレード開き量を読み出し、各印刷ユニットの各インキツボキー制御装置３７に送信する（ステップ５３０）。
【０２６３】
そして、ブレード開き量を送信した全てのインキツボキー制御装置３７からのインキツボキーの開き量の修正完了信号を確認し（ステップ５３１のＹＥＳ）、メモリＭ５１より印刷機の設定速度１を読み出し（図８５：ステップ５３２）、印刷機の回転速度を設定速度１（低速）とする（ステップ５３３〜５３６）。次に、メモリＭ５２より印刷機の設定速度２を読み出し（ステップ５３７）、印刷機の回転速度を設定速度２（高速）とする（ステップ５３８〜５４１）。
【０２６４】
そして、今回のジョブの印刷で使用する番号の印刷ユニットのインキ呼出し装置３９に動作指令を送り（図８６：ステップ５４２）、カウンタ４１にリセット信号およびイネーブル信号を送り（ステップ５４３）、カウンタ４１のカウント値が今回のジョブの印刷で使用する番号の印刷ユニットのプレインキングＩのステップ２の呼出し回数となれば（ステップ５４４，５４５、ステップ５４６のＹＥＳ）、対応する番号の印刷ユニットのインキ呼出し装置３９に停止指令を送る（ステップ５４７）。この動作を繰り返し、今回のジョブの印刷で使用する全ての番号の印刷ユニットのインキ呼出し装置３９が停止すれば（ステップ５４８のＹＥＳ）、今回のジョブの印刷で使用する全ての印刷ユニットにおける刷版の絵柄に応じたインキ膜厚分布の作成が完了したものとして、主制御装置１７にプレインキングＩのステップ２完了信号を送信する（ステップ５４９）。
【０２６５】
〔プレインキングII〕
ＣＰＵ１３Ａは、主制御装置１７から今回のジョブの印刷で使用する印刷ユニット番号と印刷色とブレード開き量および今回のジョブの印刷で使用する印刷ユニット番号と印刷色とプレインキングIIの呼出し回数が送られてくると（図８７：ステップ５５０のＹＥＳ）、それをメモリＭ５６およびメモリＭ５９に記憶する（ステップ５５１）。
【０２６６】
そして、メモリＭ５８よりプレインキングＩのステップ２およびプレインキングII時の各色のインキツボローラの送り量を読み出し（ステップ５５２）、今回のジョブの印刷で使用する印刷ユニット番号と印刷色より、該当する色のプレインキングＩのステップ２およびプレインキングII時のインキツボローラの送り量を、各印刷ユニットのインキツボローラ制御装置３６に送信する（ステップ５５３）。また、メモリＭ５６より今回のジョブの印刷で使用する印刷ユニット番号とブレード開き量を読み出し、各印刷ユニットの各インキツボキー制御装置３７に送信する（ステップ５５４）。
【０２６７】
そして、ブレード開き量を送信した全てのインキツボキー制御装置３７からのインキツボキーの開き量の修正完了信号を確認し（ステップ５５５のＹＥＳ）、メモリＭ５１より印刷機の設定速度１を読み出し（ステップ５５６）、印刷機の回転速度を設定速度１（低速）とする（ステップ５５７〜５６０）。次に、メモリＭ５２より印刷機の設定速度２を読み出し（図８８：ステップ５６１）、印刷機の回転速度を設定速度２（高速）とする（ステップ５６２〜５６５）。
【０２６８】
そして、今回のジョブの印刷で使用する番号の印刷ユニットのインキ呼出し装置３９に動作指令を送り（ステップ５６６）、カウンタ４１にリセット信号およびイネーブル信号を送り（ステップ５６７）、カウンタ４１のカウント値が今回のジョブの印刷で使用する番号の印刷ユニットのプレインキングIIの呼出し回数となれば（ステップ５６８，５６９、ステップ５７０のＹＥＳ）、対応する番号の印刷ユニットのインキ呼出し装置３９を停止する（ステップ５７１）。この動作を繰り返し、今回のジョブの印刷で使用する全ての番号の印刷ユニットのインキ呼出し装置３９が停止すれば（ステップ５７２のＹＥＳ）、今回のジョブの印刷で使用する全ての印刷ユニットにおける刷版の絵柄に応じたインキ膜厚分布の作成が完了したものとして、主制御装置１７にプレインキングII完了信号を送信する（ステップ５７３）。
【０２６９】
〔インキリムービング〕
ＣＰＵ１３Ａは、主制御装置１７から今回の印刷サイクルで使用する印刷ユニット番号とインキリムービング枚数が送られてくると（図８９：ステップ５７４のＹＥＳ）、それをメモリＭ６０に記憶する（ステップ５７５）。そして、メモリＭ５１より印刷機の設定速度１を読み出し（ステップ５７６）、印刷機の回転速度を設定速度１（低速）とし（ステップ５７７〜５８０）、全ての印刷ユニットのインキ呼出し装置３９に停止指令を送る（ステップ５８１）。
【０２７０】
そして、給紙装置３８に給紙開始指令を送り（ステップ５８２）、カウンタ４１にリセット信号およびイネーブル信号を送り（ステップ５８３）、今回の印刷サイクルで使用する番号の印刷ユニットに印刷開始指令を送る（ステップ５８４）。そして、カウンタ４１のカウント値が今回の印刷サイクルで使用する番号の印刷ユニットのインキリムービング枚数となれば（ステップ５８５，５８６、ステップ５８７のＹＥＳ）、対応する番号の印刷ユニットに印刷停止指令を送る（ステップ５８８）。この動作を繰り返し、今回の印刷サイクルで使用する全ての番号の印刷ユニットで印刷が停止すれば（ステップ５８９のＹＥＳ）、給紙装置３８に給紙停止指令を送ると共に（ステップ５９０）、今回の印刷サイクルで使用する全ての印刷ユニットでの基本インキ膜厚分布の作成が完了したものとして、主制御装置１７にインキリムービング完了信号を送信する（ステップ５９１）。
【０２７１】
〔インキツボローラ制御装置〕
図９０にインキツボローラ制御装置３６（３６−１〜３６−８）の内部構成の概略を示す。インキツボローラ制御装置３６は、ＣＰＵ３６Ａ、ＲＡＭ３６Ｂ、ＲＯＭ３６Ｃ、メモリＭ６１，Ｍ６２、インキツボローラ駆動用モータ３６Ｄ、インキツボローラ駆動用モータドライバ３６Ｅ、インキツボローラ駆動用モータ用のロータリーエンコーダ３６Ｆ、入出力インターフェイス（Ｉ／Ｏ，Ｉ／Ｆ）３６Ｇ，３６Ｈを備えており、インターフェイス３６Ｈを介してインキプリセット装置１３と接続されている。メモリＭ６１には受信したインキツボローラの回転量が記憶される。メモリＭ６２には目標とするインキツボローラの送り量が記憶される。
【０２７２】
ＣＰＵ３６Ａは、インキプリセット装置１３よりインキツボローラの回転量が送られてくると（図９１：ステップ６０１のＹＥＳ）、その受信した回転量をメモリＭ６１に記憶する（ステップ６０２）。また、受信したインキツボローラの回転量を目標とするインキツボローラの送り量（目標回転量）としてメモリＭ６２に記憶する。そして、メモリＭ６２から目標回転量を読み出し（ステップ６０４）、インキツボローラ駆動用モータドライバ３６Ｅへ送り、インキツボローラ駆動用モータ３６Ｄの回転量を目標回転量に合わせ込む（ステップ６０６）。
【０２７３】
〔インキツボキー制御装置〕
図９２にインキツボキー制御装置３７（３７−１〜３７−８）の内部構成の概略を示す。インキツボキー制御装置３７は、ＣＰＵ３７Ａ、ＲＡＭ３７Ｂ、ＲＯＭ３７Ｃ、メモリＭ６３〜Ｍ６６、インキツボキー駆動用モータ３７Ｄ、インキツボキー駆動用モータドライバ３７Ｅ、インキツボキー駆動用モータ用のロータリーエンコーダ３７Ｆ、カウンタ３７Ｇ、入出力インターフェイス（Ｉ／Ｏ，Ｉ／Ｆ）３７Ｈ，３７Ｉを備えており、インターフェイス３７Ｉを介してインキプリセット装置１３と接続されている。メモリＭ６３には受信したインキツボキーの開き量が記憶される。メモリＭ６４には目標とするインキツボキーの開き量が記憶される。メモリＭ６５にはカウンタ３７Ｇのカウント値が記憶される。メモリＭ６６には現在のインキツボキーの開き量が記憶される。
【０２７４】
ＣＰＵ３７Ａは、インキプリセット装置１３よりインキツボキーの開き量が送られてくると（図９３：ステップ７０１のＹＥＳ）、その受信した開き量をメモリＭ６３に記憶するとともに（ステップ７０２）、その受信した開き量を目標とする開き量としてメモリＭ６４に記憶する（ステップ７０３）。そして、カウンタ３７Ｇのカウント値を読み取り（ステップ７０４）、この読み取ったカウンタ３７Ｇのカウント値より現在のインキツボキーの開き量を求め（ステップ７０５）、現在のインキツボキーの開き量が目標とする開き量と同じであれば（図９４：ステップ７０６のＹＥＳ）、直ちにステップ７１４へ進み、インキプリセット装置１３へインキツボキーの開き量の修正完了信号を出力する。
【０２７５】
現在のインキツボキーの開き量が目標とする開き量と同じでない場合には（ステップ７０６のＮＯ）、現在のインキツボキーの開き量が目標とする開き量（修正された開き量）と同じになるまでインキツボキー駆動用モータ３７Ｄを駆動した後（ステップ７０７〜７１３）、インキプリセット装置１３へインキツボキーの開き量の修正完了信号を出力する（ステップ７１４）。
【０２７６】
〔印刷機制御装置〕
図９５に印刷機制御装置１８の内部構成の概略を示す。印刷機制御装置１８は、ＣＰＵ１８Ａ、ＲＡＭ１８Ｂ、ＲＯＭ１８Ｃ、メモリ１８Ｄ、入出力インターフェイス（Ｉ／Ｏ，Ｉ／Ｆ）１８Ｅ〜１８Ｊを備えており、インターフェイス１８Ｊを介して主制御装置１７と接続されている。また、インターフェイス１８Ｆを介して表面１色目の印刷ユニット１０−１〜裏面４色目の印刷ユニット１０−８と接続され、インターフェイス１８Ｅを介して給紙装置３８に接続され、インターフェイス１８Ｈを介して表面１色目のインキ呼出し装置３９−１〜裏面４色目のインキ呼出し装置３９−８と接続されている。
【０２７７】
メモリ１８Ｄには、図９６に示すように、メモリＭ６７〜Ｍ７４が設けられる。メモリＭ６７には、今回のジョブの印刷の印刷色と使用する印刷ユニットの番号が記憶される。メモリＭ６８には、印刷機の設定速度１（低速）が記憶されている。メモリＭ６９には、印刷機の設定速度２（高速）が記憶されている。メモリＭ７０には、印刷機の原動モータ用のロータリーエンコーダ３２に接続されたＦ／Ｖ変換器３３の出力が記憶される。メモリＭ７１には、現在の印刷機の回転速度が記憶される。メモリＭ７２には、印刷機の回転数カウント用のカウンタ４１のカウント値が記憶される。メモリＭ７３には、試刷り枚数が記憶される。メモリＭ７４には、今回のジョブの印刷の印刷枚数が記憶される。
【０２７８】
〔試刷り〕
ＣＰＵ１８Ａは、主制御装置１７から試し刷り開始信号および今回のジョブの印刷の印刷色と使用する印刷ユニット番号が送られてくると（図９７：ステップ８０１のＹＥＳ）、それをメモリＭ６７に記憶する（ステップ８０２）。そして、メモリＭ６８より印刷機の設定速度１を読み出し（ステップ８０３）、印刷機の回転速度を設定速度１（低速）とする（ステップ８０４〜８０７）。次に、メモリＭ６９より印刷機の設定速度２を読み出し（ステップ８０８）、印刷機の回転速度を設定速度２（高速）とする（ステップ８０９〜８１２）。
【０２７９】
そして、メモリＭ６７より今回のジョブの印刷の印刷色と使用する印刷ユニット番号を読み出し（図９８：ステップ８１３）、給紙装置３８に給紙開始指令を送る（ステップ８１４）。また、今回のジョブの印刷で使用する番号の印刷ユニットに印刷開始指令を送るとともに（ステップ８１５）、今回のジョブの印刷で使用する番号の印刷ユニットのインキ呼出し装置に動作指令を送る（ステップ８１６）。そして、カウンタ４１にリセット信号およびイネーブル信号を送り（ステップ８１７）、カウンタ４１のカウント値がメモリＭ７３に記憶されている試刷り枚数となれば（ステップ８１８，８１９、ステップ８２０のＹＥＳ）、今回のジョブの印刷で使用する番号の印刷ユニットに印刷停止指令を送る（ステップ８２１）。また、今回のジョブの印刷で使用する番号の印刷ユニットのインキ呼出し装置３９に停止指令送り（ステップ８２２）、給紙装置３８に給紙停止指令を送る。そして、主制御装置１７に、試し刷り完了信号を送信する（ステップ８２４）。
【０２８０】
〔本刷り〕
ＣＰＵ１８Ａは、主制御装置１７から今回のジョブの印刷枚数および今回のジョブの印刷色と使用する印刷ユニット番号が送られてくると（図９９：ステップ８２５）、それをメモリＭ７４およびメモリＭ６７に記憶する（ステップ８２６）。そして、試し刷りの場合と同様にして今回のジョブの印刷枚数の印刷を行い（ステップ８２７〜８４７（図１００））、主制御装置に印刷完了信号を送信する（ステップ８４８）。
【０２８１】
〔ブランケット洗浄制御装置〕
図１０１にブランケット洗浄制御装置１６の内部構成の概略を示す。ブランケット洗浄制御装置１６は、ＣＰＵ１６Ａ、ＲＡＭ１６Ｂ、ＲＯＭ１６Ｃ、メモリＭ７５〜Ｍ８０、入出力インターフェイス（Ｉ／Ｏ，Ｉ／Ｆ）１６Ｄ〜１６Ｇを備えており、インターフェイス１６Ｇを介して主制御装置１７と接続され、インターフェイス１６Ｆを介して表面１色目の印刷ユニットのブランケット洗浄装置４２−１〜裏面４色目の印刷ユニットのブランケット洗浄装置４２−８に接続されている。
【０２８２】
メモリＭ７５には、今回の印刷サイクルで使用する印刷ユニット番号が記憶される。メモリＭ７６には、印刷機の設定速度３（洗浄速度）が記憶されている。メモリＭ７８には、ロータリーエンコーダ３２に接続されたＦ／Ｖ変換器３３の出力が記憶される。メモリＭ７７には、現在の印刷機の回転速度が記憶される。メモリＭ７９には、カウンタ４１のカウント値が記憶される。メモリＭ８０には、ブランケット洗浄時の印刷機の総回転数が記憶される。
【０２８３】
ＣＰＵ１６Ａは、主制御装置１７から洗浄開始信号および今回の印刷サイクルで使用する印刷ユニット番号が送られてくると（図１０２：ステップ９０１のＹＥＳ）、受信した今回の印刷サイクルで使用する印刷ユニット番号をメモリＭ７５に記憶する（ステップ９０２）。そして、メモリＭ７６より印刷機の設定速度３を読み出し（ステップ９０３）、印刷機の回転速度を設定速度３（洗浄速度）とする（ステップ９０４〜９０７）。
【０２８４】
そして、メモリＭ７５より今回の印刷サイクルで使用する印刷ユニット番号を読み出し（ステップ９０８）、今回の印刷サイクルで使用する印刷ユニットのブランケット洗浄装置４２に洗浄信号を出力する（ステップ９０９）。そして、カウンタ４１にリセット信号およびイネーブル信号を送り（ステップ９１０）、カウンタ４１のカウント値がブランケット洗浄時の印刷機の総回転数となれば（ステップ９１１，９１２、ステップ９１３のＹＥＳ）、今回の印刷サイクルで使用する番号の印刷ユニットのブランケット洗浄装置４２に洗浄停止信号を出力する（ステップ９１４）。そして、主制御装置１７に、ブランケット洗浄完了信号を送信する（ステップ９１５）。
【図面の簡単な説明】
【０２８５】
【図１】本発明の実施に用いる印刷機の一実施の形態の概略を示す図である。
【図２】この印刷機における各色の印刷ユニット内のインキ供給装置の要部を示す図である。
【図３】具体例１の複数ジョブの印刷を説明する図である。
【図４】インキ供給装置のインキローラ群上に形成されるインキ膜厚分布ＭａおよびＭｂを示す図である。
【図５】具体例２の複数ジョブの印刷を説明する図である。
【図６】具体例３の複数ジョブの印刷を説明する図である。
【図７】具体例４の複数ジョブの印刷を説明する図である。
【図８】この印刷機における主制御装置の内部構成の概略を示すブロック図である。
【図９】主制御装置におけるメモリの内容を分割して示す図である。
【図１０】主制御装置におけるメモリの内容を分割して示す図である。
【図１１】主制御装置における入力画面例を示す図である。
【図１２】この入力画面におけるサイクル１のジョブのデータ入力例を示す図である。
【図１３】この入力画面におけるサイクル２のジョブのデータ入力例を示す図である。
【図１４】主制御装置におけるメモリＭ１へのデータの格納状況を例示する図である。
【図１５】主制御装置におけるメモリＭ１１へのデータの格納状況を例示する図である。
【図１６】主制御装置におけるメモリＭ１２へのデータの格納状況を例示する図である。
【図１７】主制御装置におけるメモリＭ１３へのデータの格納状況を例示する図である。
【図１８】主制御装置におけるメモリＭ１４へのデータの格納状況を例示する図である。
【図１９】主制御装置におけるメモリＭ１５へのデータの格納状況を例示する図である。
【図２０】主制御装置におけるメモリＭ１６へのデータの格納状況を例示する図である。
【図２１】主制御装置におけるメモリＭ１７へのデータの格納状況を例示する図である。
【図２２】主制御装置におけるメモリＭ１８へのデータの格納状況を例示する図である。
【図２３】主制御装置におけるメモリＭ１９へのデータの格納状況を例示する図である。
【図２４】主制御装置におけるメモリＭ２０へのデータの格納状況を例示する図である。
【図２５】主制御装置におけるメモリＭ２１へのデータの格納状況を例示する図である。
【図２６】主制御装置におけるメモリＭ２２へのデータの格納状況を例示する図である。
【図２７】主制御装置におけるメモリＭ２３へのデータの格納状況を例示する図である。
【図２８】主制御装置におけるメモリＭ２４へのデータの格納状況を例示する図である。
【図２９】主制御装置におけるメモリＭ２５へのデータの格納状況を例示する図である。
【図３０】主制御装置におけるメモリＭ２６へのデータの格納状況を例示する図である。
【図３１】主制御装置におけるメモリＭ２７へのデータの格納状況を例示する図である。
【図３２】主制御装置におけるメモリＭ２８へのデータの格納状況を例示する図である。
【図３３】主制御装置におけるメモリＭ２９へのデータの格納状況を例示する図である。
【図３４】主制御装置におけるメモリＭ３０へのデータの格納状況を例示する図である。
【図３５】主制御装置におけるメモリＭ３１へのデータの格納状況を例示する図である。
【図３６】主制御装置におけるメモリＭ１９へのデータの格納状況を例示する図である。
【図３７】主制御装置におけるメモリＭ１１へのデータの格納状況を例示する図である。
【図３８】主制御装置におけるメモリＭ１９へのデータの格納状況を例示する図である。
【図３９】主制御装置におけるメモリＭ２０へのデータの格納状況を例示する図である。
【図４０】主制御装置におけるメモリＭ２１へのデータの格納状況を例示する図である。
【図４１】主制御装置におけるメモリＭ２２へのデータの格納状況を例示する図である。
【図４２】主制御装置におけるメモリＭ２４へのデータの格納状況を例示する図である。
【図４３】主制御装置におけるメモリＭ２５へのデータの格納状況を例示する図である。
【図４４】主制御装置におけるメモリＭ２８へのデータの格納状況を例示する図である。
【図４５】主制御装置におけるメモリＭ２９へのデータの格納状況を例示する図である。
【図４６】主制御装置におけるメモリＭ３３へのデータの格納状況を例示する図である。
【図４７】主制御装置におけるメモリＭ３４へのデータの格納状況を例示する図である。
【図４８】主制御装置におけるメモリＭ１９へのデータの格納状況を例示する図である。
【図４９】主制御装置の処理動作を示すフローチャートである。
【図５０】主制御装置の処理動作を示すフローチャートである。
【図５１】主制御装置の処理動作を示すフローチャートである。
【図５２】主制御装置の処理動作を示すフローチャートである。
【図５３】主制御装置の処理動作を示すフローチャートである。
【図５４】主制御装置の処理動作を示すフローチャートである。
【図５５】主制御装置の処理動作を示すフローチャートである。
【図５６】主制御装置の処理動作を示すフローチャートである。
【図５７】主制御装置の処理動作を示すフローチャートである。
【図５８】主制御装置の処理動作を示すフローチャートである。
【図５９】主制御装置の処理動作を示すフローチャートである。
【図６０】主制御装置の処理動作を示すフローチャートである。
【図６１】主制御装置の処理動作を示すフローチャートである。
【図６２】主制御装置の処理動作を示すフローチャートである。
【図６３】主制御装置の処理動作を示すフローチャートである。
【図６４】主制御装置の処理動作を示すフローチャートである。
【図６５】主制御装置の処理動作を示すフローチャートである。
【図６６】主制御装置の処理動作を示すフローチャートである。
【図６７】自動刷版交換装置の内部構成の概略を示すブロック図である。
【図６８】自動刷版交換装置におけるメモリの内容を示す図である。
【図６９】自動刷版交換装置の処理動作を示すフローチャートである。
【図７０】自動刷版交換装置の処理動作を示すフローチャートである。
【図７１】自動刷版交換装置の処理動作を示すフローチャートである。
【図７２】自動刷版交換装置の処理動作を示すフローチャートである。
【図７３】自動刷版交換装置の処理動作を示すフローチャートである。
【図７４】自動刷版交換装置の処理動作を示すフローチャートである。
【図７５】自動刷版交換装置の処理動作を示すフローチャートである。
【図７６】自動刷版交換装置の処理動作を示すフローチャートである。
【図７７】紙サイズ・紙厚プリセット装置の内部構成の概略を示すブロック図である。
【図７８】紙サイズ・紙厚プリセット装置の処理動作を示すフローチャートである。
【図７９】インキプリセット装置の内部構成の概略を示すブロック図である。
【図８０】インキプリセット装置におけるメモリの内容を示す図である。
【図８１】インキプリセット装置の処理動作を示すフローチャートである。
【図８２】インキプリセット装置の処理動作を示すフローチャートである。
【図８３】インキプリセット装置の処理動作を示すフローチャートである。
【図８４】インキプリセット装置の処理動作を示すフローチャートである。
【図８５】インキプリセット装置の処理動作を示すフローチャートである。
【図８６】インキプリセット装置の処理動作を示すフローチャートである。
【図８７】インキプリセット装置の処理動作を示すフローチャートである。
【図８８】インキプリセット装置の処理動作を示すフローチャートである。
【図８９】インキプリセット装置の処理動作を示すフローチャートである。
【図９０】インキツボローラ制御装置の内部構成の概略を示すブロック図である。
【図９１】インキツボローラ制御装置の処理動作を示すフローチャートである。
【図９２】インキツボキー制御装置の内部構成の概略を示すブロック図である。
【図９３】インキツボキー制御装置の処理動作を示すフローチャートである。
【図９４】インキツボキー制御装置の処理動作を示すフローチャートである。
【図９５】印刷機制御装置の内部構成の概略を示すブロック図である。
【図９６】印刷機制御装置におけるメモリの内容を示す図である。
【図９７】印刷機制御装置の処理動作を示すフローチャートである。
【図９８】印刷機制御装置の処理動作を示すフローチャートである。
【図９９】印刷機制御装置の処理動作を示すフローチャートである。
【図１００】印刷機制御装置の処理動作を示すフローチャートである。
【図１０１】ブランケット洗浄装置の内部構成の概略を示すブロック図である。
【図１０２】ブランケット洗浄装置の処理動作を示すフローチャートである。
【図１０３】特許文献１や特許文献２に示された従来の印刷方法を説明するための図である。
【符号の説明】
【０２８６】
１０（１０−１〜１０−８）…印刷ユニット、１１…フィーダパイル、１２…デリバリーパイル、１３…インキプリセット装置（ＫＨＳ）、１４…紙サイズ・紙厚プリセット装置、１５…自動刷版交換装置、１６…ブランケット洗浄制御装置、１７…主制御装置、１７Ａ…ＣＰＵ、１７Ｂ…ＲＡＭ、１７Ｃ…ＲＯＭ、１７Ｄ…入力装置、１７Ｉ…メモリ、１８…印刷機制御装置、２０…インキツボ、２１…インキ、２２…インキツボローラ、２３（２３−１〜２３−ｎ）…インキツボキー、２４…インキ移しローラ、２５…インキローラ群、２６…版胴、２７…ブランケット胴、２８（２８’，２８”）…刷版、２９…ブランケット。
【図１】
2007038538.tif 000003
【図２】
2007038538.tif 000004
【図３】
2007038538.tif 000005
【図４】
2007038538.tif 000006
【図５】
2007038538.tif 000007
【図６】
2007038538.tif 000008
【図７】
2007038538.tif 000009
【図８】
2007038538.tif 000010
【図９】
2007038538.tif 000011
【図１０】
2007038538.tif 000012
【図１１】
2007038538.tif 000013
【図１２】
2007038538.tif 000014
【図１３】
2007038538.tif 000015
【図１４】
2007038538.tif 000016
【図１５】
2007038538.tif 000017
【図１６】
2007038538.tif 000018
【図１７】
2007038538.tif 000019
【図１８】
2007038538.tif 000020
【図１９】
2007038538.tif 000021
【図２０】
2007038538.tif 000022
【図２１】
2007038538.tif 000023
【図２２】
2007038538.tif 000024
【図２３】
2007038538.tif 000025
【図２４】
2007038538.tif 000026
【図２５】
2007038538.tif 000027
【図２６】
2007038538.tif 000028
【図２７】
2007038538.tif 000029
【図２８】
2007038538.tif 000030
【図２９】
2007038538.tif 000031
【図３０】
2007038538.tif 000032
【図３１】
2007038538.tif 000033
【図３２】
2007038538.tif 000034
【図３３】
2007038538.tif 000035
【図３４】
2007038538.tif 000036
【図３５】
2007038538.tif 000037
【図３６】
2007038538.tif 000038
【図３７】
2007038538.tif 000039
【図３８】
2007038538.tif 000040
【図３９】
2007038538.tif 000041
【図４０】
2007038538.tif 000042
【図４１】
2007038538.tif 000043
【図４２】
2007038538.tif 000044
【図４３】
2007038538.tif 000045
【図４４】
2007038538.tif 000046
【図４５】
2007038538.tif 000047
【図４６】
2007038538.tif 000048
【図４７】
2007038538.tif 000049
【図４８】
2007038538.tif 000050
【図４９】
2007038538.tif 000051
【図５０】
2007038538.tif 000052
【図５１】
2007038538.tif 000053
【図５２】
2007038538.tif 000054
【図５３】
2007038538.tif 000055
【図５４】
2007038538.tif 000056
【図５５】
2007038538.tif 000057
【図５６】
2007038538.tif 000058
【図５７】
2007038538.tif 000059
【図５８】
2007038538.tif 000060
【図５９】
2007038538.tif 000061
【図６０】
2007038538.tif 000062
【図６１】
2007038538.tif 000063
【図６２】
2007038538.tif 000064
【図６３】
2007038538.tif 000065
【図６４】
2007038538.tif 000066
【図６５】
2007038538.tif 000067
【図６６】
2007038538.tif 000068
【図６７】
2007038538.tif 000069
【図６８】
2007038538.tif 000070
【図６９】
2007038538.tif 000071
【図７０】
2007038538.tif 000072
【図７１】
2007038538.tif 000073
【図７２】
2007038538.tif 000074
【図７３】
2007038538.tif 000075
【図７４】
2007038538.tif 000076
【図７５】
2007038538.tif 000077
【図７６】
2007038538.tif 000078
【図７７】
2007038538.tif 000079
【図７８】
2007038538.tif 000080
【図７９】
2007038538.tif 000081
【図８０】
2007038538.tif 000082
【図８１】
2007038538.tif 000083
【図８２】
2007038538.tif 000084
【図８３】
2007038538.tif 000085
【図８４】
2007038538.tif 000086
【図８５】
2007038538.tif 000087
【図８６】
2007038538.tif 000088
【図８７】
2007038538.tif 000089
【図８８】
2007038538.tif 000090
【図８９】
2007038538.tif 000091
【図９０】
2007038538.tif 000092
【図９１】
2007038538.tif 000093
【図９２】
2007038538.tif 000094
【図９３】
2007038538.tif 000095
【図９４】
2007038538.tif 000096
【図９５】
2007038538.tif 000097
【図９６】
2007038538.tif 000098
【図９７】
2007038538.tif 000099
【図９８】
2007038538.tif 000100
【図９９】
2007038538.tif 000101
【図１００】
2007038538.tif 000102
【図１０１】
2007038538.tif 000103
【図１０２】
2007038538.tif 000104
【図１０３】
2007038538.tif 000105
【手続補正書】
【提出日】平成17年8月22日(2005.8.22)
【手続補正２】
【補正対象書類名】明細書
【補正対象項目名】０２８２
【補正方法】変更
【補正の内容】
【０２８２】
メモリＭ７５には、今回の印刷サイクルで使用する印刷ユニット番号が記憶される。メモリＭ７６には、印刷機の設定速度３（洗浄速度）が記憶されている。メモリＭ７７には、ロータリーエンコーダ３２に接続されたＦ／Ｖ変換器３３の出力が記憶される。メモリＭ７８には、現在の印刷機の回転速度が記憶される。メモリＭ７９には、カウンタ４１のカウント値が記憶される。メモリＭ８０には、ブランケット洗浄時の印刷機の総回転数が記憶される。